(57)【要約】メディアのシーケンスを消費するユーザの視聴体験を向上させる、メディアガイドアプリケーションのための方法およびシステムが、説明される。特に、メディアガイドアプリケーションは、ユーザによって以前に消費された冗長メディアの部分を除去することによって、メディアのシーケンスを消費するユーザの視聴体験を向上させ得る。ユーザによって消費のために要求されたメディア内の重複コンテンツの量を低減させることによって、ユーザが重複コンテンツを消費して無駄にする時間量を低減させ得る。
2018526837.tif 000002
【特許請求の範囲】
【請求項１】
ユーザ視聴体験を向上させるための方法であって、
ユーザが以前に第１のメディアアセットを消費したことを示すユーザプロファイルを読み出すステップと、
前記ユーザが第２のメディアアセットを消費しようとしていることを検出するステップと、
前記第２のメディアアセットと前記第１のメディアアセットを比較し、前記第２のメディアアセットの部分が前記第１のメディアアセットからのコンテンツに合致するかどうかを判定するステップと、
前記第２のメディアアセットの部分が前記第１のメディアアセットからのコンテンツに合致することの判定に応答して、前記第２のメディアアセットを編集し、前記部分を除去するステップと、
表示のために、前記編集された第２のメディアアセットを生成するステップと、
を含む、方法。
【請求項２】
前記部分は、前記第２のメディアアセットのフレームである、請求項１に記載の方法。
【請求項３】
前記第２のメディアアセットと前記第１のメディアアセットを比較し、前記第２のメディアアセットの部分が前記第１のメディアアセットからのコンテンツに合致するかどうかを判定するステップは、
前記部分に対応する前記第２のメディアアセットのフレームを判定するステップと、
前記フレームと前記第１のメディアアセット内の複数のフレームを一覧にしたデータベースを相互参照し、前記フレームが前記複数のフレームのうちの１つに合致するかどうかを判定するステップと、
を含む、請求項１に記載の方法。
【請求項４】
前記第２のメディアアセットの再生の間、前記部分の前に前記メディアアセットの第２の部分が先行する、請求項１に記載の方法。
【請求項５】
前記第２のメディアアセットと前記第１のメディアアセットを比較し、前記第２のメディアアセットの部分が前記第１のメディアアセットからのコンテンツに合致するかどうかを判定するステップは、
前記部分に対応するメタデータを読み出すステップと、
前記部分のメタデータと前記第１のメディアアセットのメタデータを一覧にしたデータベースを相互参照し、前記部分が前記第１のメディアアセットからのコンテンツに合致するかどうかを判定するステップと、
を含む、請求項１に記載の方法。
【請求項６】
前記第２のメディアアセットと前記第１のメディアアセットを比較し、前記第２のメディアアセットの部分が前記第１のメディアアセットからのコンテンツに合致するかどうかを判定するステップは、
前記部分に対応するイベントを読み出すステップと、
前記部分のイベントと前記第１のメディアアセットに対応する複数のイベントを一覧にしたデータベースを相互参照し、前記部分が前記第１のメディアアセットからのコンテンツに合致するかどうかを判定するステップと、
を含む、請求項１に記載の方法。
【請求項７】
前記部分の知覚される再生速度を増加させることによって、編集された部分を生成するステップと、
前記第２のメディアアセットを編集し、前記部分と前記編集された部分を置換するステップと、
をさらに含む、請求項１に記載の方法。
【請求項８】
前記第２のメディアアセットと前記第１のメディアアセットを比較し、前記第２のメディアアセットの部分が前記第１のメディアアセットからのコンテンツに合致するかどうかを判定するステップは、
前記部分と関連付けられたシリーズのエピソードおよび前記第１のメディアアセットと関連付けられたシリーズのエピソードを識別するステップと、
前記部分と関連付けられたシリーズのエピソードと前記第１のメディアアセットと関連付けられた前記シリーズのエピソードを比較するステップと、
を含む、請求項１に記載の方法。
【請求項９】
前記第１のメディアアセットを消費した後、前記第２のメディアアセットを消費する、ユーザの母集団のユーザ挙動を監視するステップと、
前記監視に応答して、前記母集団の閾値人数のユーザによる前記部分に対応する早送り挙動を検出するステップと、
前記早送り挙動の検出に応答して、比較のために前記部分を識別するステップと、
をさらに含む、請求項１に記載の方法。
【請求項１０】
前記ユーザに前記第２のメディアアセットから除去されたその部分を視聴するオプションを提示するステップをさらに含む、請求項１に記載の方法。
【請求項１１】
ユーザ視聴体験を向上させるためのシステムであって、
ユーザプロファイルを記憶するように構成される、記憶回路と、
制御回路であって、
ユーザが以前に第１のメディアアセットを消費したことを示すユーザプロファイルを読み出すことと、
前記ユーザが第２のメディアアセットを消費しようとしていることを検出することと、
前記第２のメディアアセットと前記第１のメディアアセットを比較し、前記第２のメディアアセットの部分が前記第１のメディアアセットからのコンテンツに合致するかどうかを判定することと、
前記第２のメディアアセットの部分が前記第１のメディアアセットからのコンテンツに合致することの判定に応答して、前記第２のメディアアセットを編集し、前記部分を除去することと、
表示のために、前記編集された第２のメディアアセットを生成することと
を行うように構成される、制御回路と、
を備える、システム。
【請求項１２】
前記部分は、前記第２のメディアアセットのフレームである、請求項１１に記載のシステム。
【請求項１３】
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応する前記第２のメディアアセットのフレームを判定することと、
前記フレームと前記第１のメディアアセット内の複数のフレームを一覧にしたデータベースを相互参照し、前記フレームが前記複数のフレームのうちの１つに合致するかどうかを判定することと
を行うように構成される、請求項１１に記載のシステム。
【請求項１４】
前記第２のメディアアセットの再生の間、前記部分の前に前記メディアアセットの第２の部分が先行する、請求項１１に記載のシステム。
【請求項１５】
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応するメタデータを読み出すことと、
前記部分のメタデータと前記第１のメディアアセットのメタデータを一覧にしたデータベースを相互参照し、前記部分が前記第１のメディアアセットからのコンテンツに合致するかどうかを判定することと
を行うように構成される、請求項１１に記載のシステム。
【請求項１６】
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分に対応するイベントを読み出すことと、
前記部分のイベントと前記第１のメディアアセットに対応する複数のイベントを一覧にしたデータベースを相互参照し、前記部分が前記第１のメディアアセットからのコンテンツに合致するかどうかを判定することと
を行うように構成される、請求項１１に記載のシステム。
【請求項１７】
前記制御回路はさらに、
前記部分の知覚される再生速度を増加させることによって、編集された部分を生成することと、
前記第２のメディアアセットを編集し、前記部分と前記編集された部分を置換することと
を行うように構成される、請求項１１に記載のシステム。
【請求項１８】
前記第２のメディアアセットと前記第１のメディアアセットを比較し、前記第２のメディアアセットの部分が前記第１のメディアアセットからのコンテンツに合致するかどうかを判定するように構成される、前記制御回路はさらに、
前記部分と関連付けられたシリーズのエピソードおよび前記第１のメディアアセットと関連付けられたシリーズのエピソードを識別することと、
前記部分と関連付けられたシリーズのエピソードと前記第１のメディアアセットと関連付けられた前記シリーズのエピソードを比較することと
を行うように構成される、請求項１１に記載のシステム。
【請求項１９】
前記制御回路はさらに、
前記第１のメディアアセットを消費した後、前記第２のメディアアセットを消費する、ユーザの母集団のユーザ挙動を監視することと、
前記監視に応答して、前記母集団の閾値人数のユーザによる前記部分に対応する早送り挙動を検出することと、
前記早送り挙動の検出に応答して、比較のために前記部分を識別することと
を行うように構成される、請求項１１に記載のシステム。
【請求項２０】
前記制御回路はさらに、前記ユーザに前記第２のメディアアセットから除去されたその部分を視聴するオプションを提示するように構成される、請求項１１に記載のシステム。
【請求項２１】
ユーザ視聴体験を向上させるためのシステムであって、
ユーザが以前に第１のメディアアセットを消費したことを示すユーザプロファイルを読み出すための手段と、
前記ユーザが第２のメディアアセットを消費しようとしていることを検出するための手段と、
前記第２のメディアアセットと前記第１のメディアアセットを比較し、前記第２のメディアアセットの部分が前記第１のメディアアセットからのコンテンツに合致するかどうかを判定するための手段と、
前記第２のメディアアセットの部分が前記第１のメディアアセットからのコンテンツに合致することの判定に応答して、前記第２のメディアアセットを編集し、前記部分を除去するための手段と、
表示のために、前記編集された第２のメディアアセットを生成するための手段と、
を備える、システム。
【請求項２２】
前記部分は、前記第２のメディアアセットのフレームである、請求項２１に記載のシステム。
【請求項２３】
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応する前記第２のメディアアセットのフレームを判定するための手段と、
前記フレームと前記第１のメディアアセット内の複数のフレームを一覧にしたデータベースを相互参照し、前記フレームが前記複数のフレームのうちの１つに合致するかどうかを判定するための手段と、
を備える、請求項２１に記載のシステム。
【請求項２４】
前記第２のメディアアセットの再生の間、前記部分の前に前記メディアアセットの第２の部分が先行する、請求項２１に記載のシステム。
【請求項２５】
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応するメタデータを読み出すための手段と、
前記部分のメタデータと前記第１のメディアアセットのメタデータを一覧にしたデータベースを相互参照し、前記部分が前記第１のメディアアセットからのコンテンツに合致するかどうかを判定するための手段と、
を備える、請求項２１に記載のシステム。
【請求項２６】
前記第２のメディアアセットと前記第１のメディアアセットを比較し、前記第２のメディアアセットの部分が前記第１のメディアアセットからのコンテンツに合致するかどうかを判定するための手段はさらに、
前記部分に対応するイベントを読み出すための手段と、
前記部分のイベントと前記第１のメディアアセットに対応する複数のイベントを一覧にしたデータベースを相互参照し、前記部分が前記第１のメディアアセットからのコンテンツに合致するかどうかを判定するための手段と、
を備える、請求項２１に記載のシステム。
【請求項２７】
前記部分の知覚される再生速度を増加させることによって、編集された部分を生成するための手段と、
前記第２のメディアアセットを編集し、前記部分と前記編集された部分を置換するための手段と、
をさらに備える、請求項２１に記載のシステム。
【請求項２８】
前記第２のメディアアセットと前記第１のメディアアセットを比較し、前記第２のメディアアセットの部分が前記第１のメディアアセットからのコンテンツに合致するかどうかを判定するための手段はさらに、
前記部分と関連付けられたシリーズのエピソードおよび前記第１のメディアアセットと関連付けられたシリーズのエピソードを識別するための手段と、
前記部分と関連付けられたシリーズのエピソードと前記第１のメディアアセットと関連付けられた前記シリーズのエピソードを比較するための手段と、
を備える、請求項２１に記載のシステム。
【請求項２９】
前記第１のメディアアセットを消費した後、前記第２のメディアアセットを消費する、ユーザの母集団のユーザ挙動を監視するための手段と、
前記監視に応答して、前記母集団の閾値人数のユーザによる前記部分に対応する早送り挙動を検出するための手段と、
前記早送り挙動の検出に応答して、比較のために前記部分を識別するための手段と、
をさらに備える、請求項２１に記載のシステム。
【請求項３０】
前記ユーザに前記第２のメディアアセットから除去されたその部分を視聴するオプションを提示するための手段をさらに備える、請求項２１に記載のシステム。
【請求項３１】
ユーザ視聴体験を向上させるための方法であって、
制御回路を使用して、ユーザが以前に第１のメディアアセットを消費したことを示すユーザプロファイルを読み出すステップと、
制御回路を使用して、前記ユーザが第２のメディアアセットを消費しようとしていることを検出するステップと、
制御回路を使用して、前記第２のメディアアセットと前記第１のメディアアセットを比較し、前記第２のメディアアセットの部分が前記第１のメディアアセットからのコンテンツに合致するかどうかを判定するステップと、
前記第２のメディアアセットの部分が前記第１のメディアアセットからのコンテンツに合致することの判定に応答して、制御回路を使用して、前記第２のメディアアセットを編集し、前記部分を除去するステップと、
制御回路を使用して、表示のために、前記編集された第２のメディアアセットを生成するステップと、
を含む、方法。
【請求項３２】
前記部分は、前記第２のメディアアセットのフレームである、請求項３１に記載の方法。
【請求項３３】
前記第２のメディアアセットと前記第１のメディアアセットを比較し、前記第２のメディアアセットの部分が前記第１のメディアアセットからのコンテンツに合致するかどうかを判定するステップは、
前記部分に対応する前記第２のメディアアセットのフレームを判定するステップと、
前記フレームと前記第１のメディアアセット内の複数のフレームを一覧にしたデータベースを相互参照し、前記フレームが前記複数のフレームのうちの１つに合致するかどうかを判定するステップと、
を含む、請求項３１−３２のいずれかに記載の方法。
【請求項３４】
前記第２のメディアアセットの再生の間、前記部分の前に前記メディアアセットの第２の部分が先行する、請求項３１−３３のいずれかに記載の方法。
【請求項３５】
前記第２のメディアアセットと前記第１のメディアアセットを比較し、前記第２のメディアアセットの部分が前記第１のメディアアセットからのコンテンツに合致するかどうかを判定するステップは、
前記部分に対応するメタデータを読み出すステップと、
前記部分のメタデータと前記第１のメディアアセットのメタデータを一覧にしたデータベースを相互参照し、前記部分が前記第１のメディアアセットからのコンテンツに合致するかどうかを判定するステップと、
を含む、請求項３１−３４のいずれかに記載の方法。
【請求項３６】
前記第２のメディアアセットと前記第１のメディアアセットを比較し、前記第２のメディアアセットの部分が前記第１のメディアアセットからのコンテンツに合致するかどうかを判定するステップは、
前記部分に対応するイベントを読み出すステップと、
前記部分のイベントと前記第１のメディアアセットに対応する複数のイベントを一覧にしたデータベースを相互参照し、前記部分が前記第１のメディアアセットからのコンテンツに合致するかどうかを判定するステップと、
を含む、請求項３１−３５のいずれかに記載の方法。
【請求項３７】
前記部分の知覚される再生速度を増加させることによって、編集された部分を生成するステップと、
前記第２のメディアアセットを編集し、前記部分と前記編集された部分を置換するステップと、
をさらに含む、請求項３１−３６のいずれかに記載の方法。
【請求項３８】
前記第２のメディアアセットと前記第１のメディアアセットを比較し、前記第２のメディアアセットの部分が前記第１のメディアアセットからのコンテンツに合致するかどうかを判定するステップは、
前記部分と関連付けられたシリーズのエピソードおよび前記第１のメディアアセットと関連付けられたシリーズのエピソードを識別するステップと、
前記部分と関連付けられたシリーズのエピソードと前記第１のメディアアセットと関連付けられた前記シリーズのエピソードを比較するステップと、
を含む、請求項３１−３７のいずれかに記載の方法。
【請求項３９】
前記第１のメディアアセットを消費した後、前記第２のメディアアセットを消費する、ユーザの母集団のユーザ挙動を監視するステップと、
前記監視に応答して、前記母集団の閾値人数のユーザによる前記部分に対応する早送り挙動を検出するステップと、
前記早送り挙動の検出に応答して、比較のために前記部分を識別するステップと、
をさらに含む、請求項３１−３８のいずれかに記載の方法。
【請求項４０】
前記ユーザに前記第２のメディアアセットから除去されたその部分を視聴するオプションを提示するステップをさらに含む、請求項３１−３９のいずれかに記載の方法。
【請求項４１】
ユーザ視聴体験を向上させるためのその上に記録された命令を備える、非一過性コンピュータ可読媒体であって、前記命令は、
ユーザが以前に第１のメディアアセットを消費したことを示すユーザプロファイルを読み出すための命令と、
前記ユーザが第２のメディアアセットを消費しようとしていることを検出するための命令と、
前記第２のメディアアセットと前記第１のメディアアセットを比較し、前記第２のメディアアセットの部分が前記第１のメディアアセットからのコンテンツに合致するかどうかを判定するための命令と、
前記第２のメディアアセットの部分が前記第１のメディアアセットからのコンテンツに合致することの判定に応答して、前記第２のメディアアセットを編集し、前記部分を除去するための命令と、
表示のために、前記編集された第２のメディアアセットを生成するための命令と、
を備える、非一過性コンピュータ可読媒体。
【請求項４２】
前記部分は、前記第２のメディアアセットのフレームである、請求項４１に記載の非一過性コンピュータ可読媒体。
【請求項４３】
前記第２のメディアアセットと前記第１のメディアアセットを比較し、前記第２のメディアアセットの部分が前記第１のメディアアセットからのコンテンツに合致するかどうかを判定するための命令は、
前記部分に対応する前記第２のメディアアセットのフレームを判定するための命令と、
前記フレームと前記第１のメディアアセット内の複数のフレームを一覧にしたデータベースを相互参照し、前記フレームが前記複数のフレームのうちの１つに合致するかどうかを判定するための命令と、
を備える、請求項４１に記載の非一過性コンピュータ可読媒体。
【請求項４４】
前記第２のメディアアセットの再生の間、前記部分の前に前記メディアアセットの第２の部分が先行する、請求項４１に記載の非一過性コンピュータ可読媒体。
【請求項４５】
前記第２のメディアアセットと前記第１のメディアアセットを比較し、前記第２のメディアアセットの部分が前記第１のメディアアセットからのコンテンツに合致するかどうかを判定するための命令は、
前記部分に対応するメタデータを読み出すための命令と、
前記部分のメタデータと前記第１のメディアアセットのメタデータを一覧にしたデータベースを相互参照し、前記部分が前記第１のメディアアセットからのコンテンツに合致するかどうかを判定するための命令と、
を備える、請求項４１に記載の非一過性コンピュータ可読媒体。
【請求項４６】
前記第２のメディアアセットと前記第１のメディアアセットを比較し、前記第２のメディアアセットの部分が前記第１のメディアアセットからのコンテンツに合致するかどうかを判定するための命令は、
前記部分に対応するイベントを読み出すための命令と、
前記部分のイベントと前記第１のメディアアセットに対応する複数のイベントを一覧にしたデータベースを相互参照し、前記部分が前記第１のメディアアセットからのコンテンツに合致するかどうかを判定するための命令と、
を備える、請求項４１に記載の非一過性コンピュータ可読媒体。
【請求項４７】
前記部分の知覚される再生速度を増加させることによって、編集された部分を生成するための命令と、
前記第２のメディアアセットを編集し、前記部分と前記編集された部分を置換するための命令と、
をさらに備える、請求項４１に記載の非一過性コンピュータ可読媒体。
【請求項４８】
前記第２のメディアアセットと前記第１のメディアアセットを比較し、前記第２のメディアアセットの部分が前記第１のメディアアセットからのコンテンツに合致するかどうかを判定するための命令は、
前記部分と関連付けられたシリーズのエピソードおよび前記第１のメディアアセットと関連付けられたシリーズのエピソードを識別するための命令と、
前記部分と関連付けられたシリーズのエピソードと前記第１のメディアアセットと関連付けられた前記シリーズのエピソードを比較するための命令と、
を備える、請求項４１に記載の非一過性コンピュータ可読媒体。
【請求項４９】
前記第１のメディアアセットを消費した後、前記第２のメディアアセットを消費する、ユーザの母集団のユーザ挙動を監視するための命令と、
前記監視に応答して、前記母集団の閾値人数のユーザによる前記部分に対応する早送り挙動を検出するための命令と、
前記早送り挙動の検出に応答して、比較のために前記部分を識別するための命令と、
をさらに備える、請求項４１に記載の非一過性コンピュータ可読媒体。
【請求項５０】
前記ユーザに前記第２のメディアアセットから除去されたその部分を視聴するオプションを提示するための命令をさらに備える、請求項４１に記載の非一過性コンピュータ可読媒体。
【発明の詳細な説明】
【技術分野】
【０００１】
（関連出願の相互参照）
本願は、２０１５年７月３１日に出願された米国実用特許出願第１４／８１５，１１９号に対する優先権およびその利益を主張するものであり、該出願は、参照により本明細書中に援用される。
【背景技術】
【０００２】
従来のシステムでは、ユーザは、典型的には、広範囲のメディアへのアクセスを有する。第１のメディアを消費後、ユーザは、第２のメディアを消費し得るが、第２のメディアは、第１のメディアと重複するコンテンツを含有し得る。ユーザが重複コンテンツをすでに消費しているため、ユーザは、再び、重複コンテンツを消費することを所望し得ない。従来のシステムは、第２のメディアを重複コンテンツとともにユーザに提示し、したがって、重複コンテンツを手動で早送りまたはスキップし、それを再び消費することを回避する必要があるため、ユーザを苛立たせるであろう。
【発明の概要】
【課題を解決するための手段】
【０００３】
故に、重複コンテンツを有する複数のメディアを視聴するとき、ユーザの視聴体験を向上させる、メディアガイドアプリケーションのための方法およびシステムが、本明細書に説明される。特に、メディアガイドアプリケーションは、ユーザによって消費のために要求されたメディア内のコンテンツと重複する以前に消費されたメディア内のコンテンツを識別し、ユーザによって消費のために要求されたメディア内の重複コンテンツの量を低減させることによって、ユーザが重複コンテンツを消費して無駄にする時間量を低減させ得る。メディアガイドアプリケーションは、ユーザによって消費のために要求されたメディアの再生の間、重複コンテンツを通してスキップまたは早送りしてもよい。例えば、メディアガイドアプリケーションは、ユーザプロファイルにアクセスし、ユーザによってすでに鑑賞されたコンテンツ（例えば、以前に視聴されたシリーズのエピソードのタイトルシーケンス）を識別してもよい。メディアガイドアプリケーションが、ユーザが識別されたコンテンツを再び鑑賞しようとしている（例えば、ユーザが、タイトルシーケンスを含む、シリーズの別のエピソードを鑑賞しようとしている）ことを検出する場合、メディアガイドアプリケーションは、他のエピソードの再生の間、識別されたコンテンツを通してスキップまたは自動的に早送りしてもよい。
【０００４】
いくつかの側面では、メディアガイドアプリケーションは、ユーザが以前に第１のメディアアセットを消費したことを示すユーザプロファイルを読み出してもよい。例えば、メディアアセットの再生に応じて、メディアガイドアプリケーションは、ユーザがメディアアセットを消費したことを示すデータをユーザに対応する遠隔またはローカルデータ記憶場所に書き込んでもよい。メディアガイドアプリケーションは、ローカルまたは遠隔データ記憶場所にアクセスし、以前に消費されたメディアアセットに対応するデータを読み出してもよく、ユーザによって以前に消費された第１のメディアアセットを複数のメディアアセットから識別してもよい。
【０００５】
メディアガイドアプリケーションは、ユーザが第２のメディアアセットを消費しようとしていることを検出してもよい。例えば、メディアガイドアプリケーションは、ユーザ入力を受信および処理するように構成されてもよい。ユーザ入力の受信に応じて、メディアガイドアプリケーションは、ユーザ入力が第２のメディアアセットを消費する要求に対応することを判定してもよい。実施例として、メディアガイドアプリケーションは、遠隔制御、タッチスクリーンデバイス、ネットワークデータパケット等からのユーザ入力を解釈するように構成されてもよい。
【０００６】
メディアガイドアプリケーションは、第２のメディアアセットと第１のメディアアセットを比較し、第２のメディアアセットの部分が第１のメディアアセットからのコンテンツに合致するかどうかを判定してもよい。例えば、メディアガイドアプリケーションは、第１のメディアアセットとの比較のために、第２のメディアアセットの部分を識別してもよい。いくつかの実施形態では、メディアガイドアプリケーションは、第１のメディアアセットを消費した後、第２のメディアアセットを消費する、ユーザの母集団のユーザ挙動を監視してもよい。例えば、メディアガイドアプリケーションは、データベース内に、第１のメディアアセットを消費した後、第２のメディアアセットを消費する、ユーザによって行われるアクションをログ付けしてもよい。監視に応答して、メディアガイドアプリケーションは、ログを分析し、母集団内の閾値人数のユーザによる早送り挙動に対応する第２のメディアアセットの部分を識別してもよい。メディアガイドアプリケーションは、第２のメディアアセットの識別された部分をその部分として選択してもよい。いくつかの実施形態では、メディアガイドアプリケーションは、第２のメディアアセットのフレームをその部分として識別してもよい。例えば、メディアガイドアプリケーションは、メディアアセットに対応する画像をその部分として選択してもよい。いくつかの実施形態では、メディアガイドアプリケーションは、第２のメディアアセットからの複数のフレームをその部分として選択してもよい。例えば、メディアガイドアプリケーションは、第１のＮ個の第２のメディアアセットのフレームを選択してもよく、Ｎは、１を上回る数である。いくつかの実施形態では、メディアガイドアプリケーションは、第２のメディアアセットの再生の間、その部分の前に第２のメディアアセットの第２の部分が先行する、その部分を選択してもよい。例えば、メディアガイドアプリケーションは、選択されたフレームが、第２のメディアアセットの再生の間、少なくとも１つの他のフレームの後にレンダリングされる、第２のメディアアセットのフレームを選択してもよい。
【０００７】
第２のメディアアセットの部分が第１のメディアアセットからのコンテンツに合致することの判定（例えば、ユーザが第２のメディアアセットの部分をすでに消費したことの判定）に応答して、メディアガイドアプリケーションは、第２のメディアアセットを編集し、その部分を除去し（例えば、ユーザがその部分を手動でスキップまたは早送りする必要を防止するために）、表示のために、編集された第２のメディアアセットを生成してもよい（例えば、ユーザによって以前に視聴されたコンテンツを伴わない、第２のメディアアセットのバージョン）。
【０００８】
いくつかの実施形態では、メディアガイドアプリケーションは、第２のメディアアセットと第１のメディアアセットを比較するために、その部分に対応する第２のメディアアセットのフレームを判定してもよい。例えば、メディアガイドアプリケーションは、第２のメディアアセットの部分と関連付けられた画像を選択してもよい。いくつかの実施形態では、メディアガイドアプリケーションは、フレームと第１のメディアアセットの複数のフレームを一覧にしたデータベースを相互参照し、フレームが複数のフレームのうちの１つに合致するかどうかを判定してもよい。例えば、メディアガイドアプリケーションは、第１のメディアアセットと関連付けられた画像を含有するデータベースにアクセスしてもよい。メディアガイドアプリケーションは、第１のメディアアセットと関連付けられた画像とその部分と関連付けられた画像を比較し、第１のメディアアセットと関連付けられた画像がその部分と関連付けられた画像に合致するかどうかを判定してもよい。いくつかの実施形態では、フレームは、オーディオ信号と関連付けられてもよい。例えば、マルチメディアのフレームは、画像および関連付けられた音の両方と関連付けられてもよい。メディアガイドアプリケーションは、フレームオーディオおよびビデオデータのデータベースにアクセスし、その部分のフレームと関連付けられた画像およびオーディオデータと第１のメディアアセットのフレームと関連付けられた画像およびオーディオデータを相互参照することによって、その部分のフレームおよび第１のメディアアセットのフレームを比較してもよい。いくつかの実施形態では、フレームは、オーディオデータのみを含有してもよい。メディアガイドアプリケーションは、フレームオーディオデータのデータベースにアクセスし、その部分のフレームと関連付けられたオーディオデータと第１のメディアアセットのフレームと関連付けられたオーディオデータを相互参照することによって、その部分のフレームおよび第１のメディアアセットのフレームを比較してもよい。
【０００９】
いくつかの実施形態では、メディアガイドアプリケーションは、その部分と第１のメディアアセットを比較するために、第２のメディアアセットの部分に対応するメタデータを読み出してもよい。例えば、メディアガイドアプリケーションは、その部分と関連付けられた俳優、場面、ジャンル等の部分の特性を識別することによって、その部分と関連付けられたデータを読み出してもよい。メディアガイドアプリケーションは、その部分のメタデータと第１のメディアアセットのメタデータを一覧にしたデータベースを相互参照し、その部分が第１のメディアアセットからのコンテンツに合致するかどうかを判定してもよい。例えば、メディアガイドアプリケーションは、第１のメディアアセットと関連付けられた俳優、場面、ジャンル等のデータベースにアクセスしてもよい。メディアガイドアプリケーションは、データベース内のメタデータとその部分に対応するメタデータを相互参照し、合致するメタデータを識別してもよい。
【００１０】
いくつかの実施形態では、メディアガイドアプリケーションは、その部分と第１のメディアアセットを比較するために、その部分に対応するイベントを読み出してもよい。例えば、メディアガイドアプリケーションは、その部分内で生じるイベントについての情報を含有する、その部分と関連付けられたデータタグを読み出してもよい（例えば、タレントショーのエピソードに関するタグは、その部分に対応するパフォーマーおよび演技を識別してもよい）。メディアガイドアプリケーションは、その部分のイベントと第１のメディアアセットに対応する複数のイベントを一覧にしたデータベースを相互参照し、その部分が第１のメディアアセットからのコンテンツに合致するかどうかを判定してもよい。例えば、メディアガイドアプリケーションは、第１のメディアアセットと関連付けられた複数のタグを識別するデータを含有するデータベースにアクセスしてもよい。メディアガイドアプリケーションは、その部分と関連付けられたタグ（例えば、パフォーマーおよび演技を識別するデータ）とデータベース内のタグを比較し、その部分のタグ（例えば、パフォーマーおよび演技を識別するデータ）が第１のメディアアセットと関連付けられたタグに合致するかどうかを判定してもよい。
【００１１】
いくつかの実施形態では、メディアガイドアプリケーションは、その部分と関連付けられたシリーズのエピソードおよび第１のメディアアセットと関連付けられたシリーズのエピソードを識別してもよい。例えば、メディアガイドアプリケーションは、データベースにアクセスし、前のエピソードからのイベントを再現する、第２のメディアアセットの部分と関連付けられたシリーズのエピソードを識別してもよい。いくつかの実施形態では、メディアガイドアプリケーションは、その部分と関連付けられたシリーズのエピソードと第１のメディアアセットと関連付けられたシリーズのエピソードを比較してもよい。例えば、メディアガイドアプリケーションは、メディアアセットに関するエピソードおよびシリーズ情報を含有するデータベースにアクセスし、第１のメディアアセットと関連付けられたシリーズのエピソードを判定してもよい。メディアガイドアプリケーションは、シリーズの個別のエピソードが等しいかどうかを判定することによって、その部分および第１のメディアアセットを比較してもよい。
【００１２】
いくつかの実施形態では、メディアガイドアプリケーションは、第２のメディアアセットの部分が第１のメディアアセットからのコンテンツに合致することの判定に応答して、第２のメディアアセットを編集し、その部分を除去してもよい。例えば、メディアガイドアプリケーションは、その部分に対応するフレームが、編集された第２のメディアアセットの再生の間、メディアガイドアプリケーションによる表示のために生成されないであろうように、第２のメディアアセットからの部分に対応するフレームを除去してもよい。
【００１３】
いくつかの実施形態では、メディアガイドアプリケーションは、表示のために、編集された第２のメディアアセットを生成してもよい。例えば、メディアガイドアプリケーションは、その部分の全部未満が、第２のメディアアセットの再生の間、表示のために生成されるように、編集された第２のメディアアセットに対応する、画像データ（例えば、メディアガイドアプリケーションと関連付けられたディスプレイ画面上での表示のために）および／または音データ（例えば、メディアガイドアプリケーションと関連付けられたスピーカのために）を生成してもよい。
【００１４】
いくつかの実施形態では、メディアガイドアプリケーションは、その部分の知覚される再生速度を増加させることによって、編集された部分を生成してもよい。例えば、メディアガイドアプリケーションは、その部分のフレームのオリジナル数のある割合（例えば、その部分の４フレーム毎）を含有する編集された部分を生成してもよい。メディアガイドアプリケーションは、編集された部分が、その部分の高速バージョンとして、ユーザによって知覚されるように、その部分と同等フレームレートで編集された部分を再生してもよい。メディアガイドアプリケーションは、第２のメディアアセットを編集し、その部分と編集された部分を置換してもよい。例えば、メディアガイドアプリケーションは、第２のメディアアセットの再生の間、その部分を再生する代わりに、編集された部分を再生してもよい。
【００１５】
いくつかの実施形態では、メディアガイドアプリケーションは、ユーザに第２のメディアアセットから除去されたその部分を視聴するオプションを提示してもよい。例えば、メディアガイドアプリケーションは、その部分が、スキップされるべきか、より高速で再生されるべきか、またはその部分が、第２のメディアアセットの再生の間、レンダリングされるべきであるかどうかに関して、ユーザに促してもよい。
【００１６】
前述のシステムおよび／または方法は、他のシステム、方法、および／または装置に適用され、もしくはそれらに従って使用され得ることに留意されたい。
【図面の簡単な説明】
【００１７】
本開示の上記および他の目的ならびに利点は、類似参照文字が全体を通して類似部品を指す、添付図面と併せて解釈される、以下の詳細な説明を考慮することによって明白となるであろう。
【００１８】
【図１】図１は、本開示のいくつかの実施形態による、提示され得るメディアガイドディスプレイの例証的実施例を示す。
【図２】図２は、本開示のいくつかの実施形態による、提示され得るメディアガイドディスプレイの別の例証的実施例を示す。
【図３】図３は、本開示のいくつかの実施形態による、例証的ユーザ機器デバイスのブロック図である。
【図４】図４は、本開示のいくつかの実施形態による、例証的メディアシステムのブロック図である。
【図５】図５は、本開示のいくつかの実施形態による、オリジナルおよび別のメディアアセットとの重複コンテンツを有する編集されたメディアアセットの例証的実施例を示す。
【図６】図６は、本開示のいくつかの実施形態による、別のメディアアセットとの重複コンテンツを有するメディアアセットを編集するための例証的ステップのフロー図である。
【図７】図７は、本開示のいくつかの実施形態による、別のメディアアセットとの重複コンテンツを有するメディアアセットのフレームを編集するための例証的ステップのフロー図である。
【発明を実施するための形態】
【００１９】
視聴重複コンテンツを有する複数のメディアアセットを視聴するとき、ユーザの視聴体験を向上させる、メディアガイドアプリケーションのための方法およびシステムが、本明細書に説明される。特に、メディアガイドアプリケーションは、ユーザによって消費のために要求されたメディア内のコンテンツと重複する以前に消費されたメディア内のコンテンツを識別し、ユーザによって消費のために要求されたメディア内の重複コンテンツの量を低減させることによって、ユーザが重複コンテンツを消費して無駄にする時間量を低減させ得る。
【００２０】
本明細書で参照されるように、「重複コンテンツ」は、第２のメディア内のデータと類似または等しい、第１のメディア内のデータを指す。例えば、第１および第２のメディアは、画像、音、メタデータ等が少なくとも閾値だけ合致または類似する場合、重複コンテンツを有すると言える。例えば、第２のメディアのフレームに９５％合致する（例えば、フレーム内のピクセルの９５％が合致する）フレームを有する第１のメディアは、メディアガイドアプリケーションによって、重複すると判定されてもよい。重複コンテンツは、メディアアセットの固有のその部分に対応してもよい。例えば、重複コンテンツは、タイトル、イントロ、またはクレジットシーケンスに対応してもよく、ビデオ／クリップ再現部に対応してもよく、コマーシャルもしくは広告に対応してもよく、および／またはメディアアセット内の別のフレームまたは場面に対応してもよい。
【００２１】
本明細書で参照されるように、「フレーム」は、メディアと関連付けられた任意の画像および／または音であってもよい。例えば、映画のフレームは、映画内の具体的点で捕捉される画像および音であってもよい。別の実施例では、歌のフレームは、歌の具体的サンプルと関連付けられたオーディオデータであってもよい。メディアガイドアプリケーションは、ユーザによって消費のために要求されたメディアの再生の間、重複コンテンツを通してスキップまたは早送りしてもよい。例えば、メディアガイドアプリケーションは、ユーザプロファイルにアクセスし、ユーザによって以前に消費された第１のメディアアセットを識別してもよい。メディアガイドアプリケーションは、第２のメディアアセットを消費するユーザ要求を検出してもよい。検出に応答して、メディアガイドアプリケーションは、第２のメディアアセットの部分と第１のメディアアセットを比較し、その部分が第１のメディアアセット内のコンテンツと重複するかどうかを判定してもよい。メディアガイドアプリケーションは、その部分が、第２のメディアアセットの再生の間、スキップまたは早送りされるように、第２のメディアアセットを編集してもよい。
【００２２】
本明細書で参照されるように、「メディアガイドアプリケーション」は、ユーザが、インターフェースを通してメディアコンテンツにアクセスすることを可能にする、アプリケーションである。メディアガイドアプリケーションは、ガイドを提供するコンテンツに応じて、種々の形態をとってもよい。典型的なタイプのメディアガイドアプリケーションの１つは、双方向テレビ番組ガイドである。双方向テレビ番組ガイド（電子番組ガイドと称される場合もある）は、とりわけ、ユーザが、多くのタイプのコンテンツまたはメディアアセット間をナビゲートし、それを特定することが可能である、公知のガイドアプリケーションである。メディアガイドアプリケーションは、ユーザが、コンテンツ間をナビゲートし、それを特定および選択することを可能にする、グラフィカルユーザインターフェース画面を生成してもよい。
【００２３】
本明細書で論じられる実施形態のいずれかを行うためのメディアガイドアプリケーションおよび／または任意の命令は、コンピュータ可読媒体上にエンコードされてもよい。コンピュータ可読媒体は、データを記憶可能である任意のメディアを含む。コンピュータ可読媒体は、限定ではないが、伝搬する電気信号もしくは電磁信号を含む、一過性であってもよく、または限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリもしくは記憶デバイスを含む、非一過性であってもよい。
【００２４】
本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、広告、チャットセッション、ソーシャルメディア、アプリケーション、ゲーム、および／または任意の他のメディアもしくはマルチメディア、および／またはそれらの組み合わせを意味すると理解されたい。メディアガイドアプリケーションはまた、ユーザが、コンテンツ間をナビゲートし、それを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの部分であることも可能である。
【００２５】
メディアガイドアプリケーションの機能の１つは、メディアガイドデータをユーザに提供することである。本明細書で参照されるように、語句「メディアガイドデータ」または「ガイドデータ」は、ガイドアプリケーションを動作させる際に使用されるコンテンツまたはデータに関連する任意のデータを意味すると理解されたい。例えば、ガイドデータは、番組情報、ガイドアプリケーション設定、ユーザ選好、ユーザプロファイル情報、メディア一覧、メディア関連情報（例えば、放送時間、放送チャネル、タイトル、説明、評価情報（例えば、ペアレンタルコントロール評価、批評家の評価等）、ジャンルまたはカテゴリ情報、俳優情報、放送局またはプロバイダのロゴに関するロゴデータ等）、メディアフォーマット（例えば、標準画質、高画質、３Ｄ等）、広告情報（例えば、テキスト、画像、メディアクリップ等）、オンデマンド情報、ブログ、ウェブサイト、およびユーザが、所望のコンテンツ選択間をナビゲートし、それを特定するのに有用である、任意の他のタイプのガイドデータを含んでもよい。
【００２６】
いくつかの実施形態では、メディアガイドアプリケーションは、ユーザが以前に第１のメディアアセットを消費したことを示すユーザプロファイルを読み出してもよい。メディアガイドアプリケーションは、最初に、ユーザを識別し（例えば、ログイン情報、ユーザの写真（例えば、ウェブカメラを通して得られる）、ユーザを一意に識別するハッシュ値、またはユーザの任意の他の既知の識別情報）、次いで、ユーザの識別とユーザプロファイルデータベースのエントリを相互参照することによって、ユーザプロファイルが存在するかどうかを判定してもよい。相互参照の結果、メディアガイドアプリケーションは、特定される場合、プロファイルへのポインタを受信してもよく、またはプロファイルが存在しない場合、ＮＵＬＬ値を受信してもよい。ユーザプロファイルデータベースは、メディアガイドアプリケーションに対して遠隔またはローカルに位置してもよく、ネットワーク接続を経由して、メディアガイドアプリケーションにアクセス可能であってもよい。ユーザプロファイルが特定される場合、メディアガイドアプリケーションは、ユーザによって以前に視聴されたメディアに対応するデータベースエントリにアクセスしてもよい。いくつかの実施形態では、メディアガイドアプリケーションは、ユーザプロファイル内に、ユーザによって以前に視聴された全メディアアセットを示すデータを記憶してもよい。例えば、メディアガイドアプリケーションは、ユーザによって消費されたメディアアセットを一意に識別する値をユーザのプロファイル内に記憶してもよい。
【００２７】
いくつかの実施形態では、メディアガイドアプリケーションは、最近視聴されたメディアアセットの一覧を含むように、ユーザプロファイルを更新してもよい。メディアガイドアプリケーションは、閾値日、分、時間数等より最近ユーザによって消費されたメディアアセットのみを備えるように、最近視聴されたメディアアセットの一覧を更新してもよい。メディアガイドアプリケーションは、メディアアセットが最後に消費された時間を記憶する値と現在の日付および時間を示す値を比較し、メディアアセットが最近視聴されたメディアアセットの一覧上に含まれるかどうかを判定してもよい。いくつかの実施形態では、最近視聴されたメディアアセットの一覧は、ユーザによって消費された全メディアアセットを含んでもよい。例えば、一覧は、プロファイルがメディアガイドアプリケーションによって作成されてからユーザによって視聴されたあらゆるメディアアセットを含んでもよい。
【００２８】
いくつかの実施形態では、ユーザは、最近視聴されたメディアアセットの一覧と関連付けられた閾値を選択することができる。例えば、メディアガイドアプリケーションは、閾値をユーザプロファイルから読み出してもよい。いくつかの実施形態では、メディアガイドアプリケーションは、第１のメディアアセットをユーザプロファイルに対応するメディアアセットから識別してもよい。例えば、メディアガイドアプリケーションは、現在の日付および時間とメディアアセットと関連付けられた日付および時間を比較することによって、ユーザプロファイル内の最も最近消費されたメディアアセットを識別してもよい。
【００２９】
いくつかの実施形態では、メディアガイドアプリケーションは、プロファイル内の全ての以前に視聴されたメディアアセットを通して反復してもよい。例えば、メディアガイドアプリケーションは、各メディアアセットが、反復の完了に応じて、少なくとも１回、第１のメディアアセットとして選択されるように、ユーザによって以前に消費された各メディアアセットを第１のメディアアセットとして反復的に選択してもよい。
【００３０】
いくつかの実施形態では、メディアガイドアプリケーションは、消費されたメディアアセットと関連付けられたメタデータのデータベースにアクセスし、第１のメディアアセットと関連付けられたメタデータを読み出し、メディアアセットが第１のメディアアセットとして選択されるべきかどうか判定を行ってもよい。例えば、メディアガイドアプリケーションは、ユーザによって消費のために要求されたメディアアセットと関連付けられたタイトル、エピソード、シリーズ、男優／女優の一覧等の情報を含有する遠隔またはローカルデータベースにアクセスしてもよい。メディアガイドアプリケーションは、ユーザによって消費のために要求されたメディアアセットのメタデータとユーザのプロファイル内のメディアアセットのメタデータを比較し、ユーザによって消費のために要求されたメディアアセットのメタデータの少なくとも部分に合致するメタデータを備える合致するメディアアセットを識別してもよい。メディアガイドアプリケーションは、合致するメディアアセットを第１のメディアアセットとして選択してもよい。例えば、メディアガイドアプリケーションは、テレビシリーズ「Ｇａｍｅ  ｏｆ  Ｔｈｒｏｎｅｓ」に対応するメディアを消費するユーザ要求を検出してもよい。メディアガイドアプリケーションは、シリーズ「Ｇａｍｅ  ｏｆ  Ｔｈｒｏｎｅｓ」に対応するメディアアセットに関してユーザプロファイルを検索し、第１のメディアアセットを選択してもよい。
【００３１】
いくつかの実施形態では、第１のメディアアセットは、ユーザによって選択される。例えば、メディアガイドアプリケーションは、ユーザ入力（例えば、音声コマンド、遠隔制御からの赤外線パルス、タッチスクリーンの表面における電圧の変化等）をメディアガイドアプリケーションと関連付けられた入力デバイスで検出してもよい。メディアガイドアプリケーションは、ユーザ入力とメディアガイドアプリケーションと関連付けられたメディアアセットを関連付けてもよい。メディアガイドアプリケーションは、メディアアセットを第１のメディアアセットとして選択してもよい。いくつかの実施形態では、メディアガイドアプリケーションは、ユーザによって定義されたメディアアセットの一覧から第１のメディアアセットを選択してもよい。ある実施例では、メディアガイドアプリケーションは、表示のために、ユーザが消費することを所望するメディアアセットの一覧をユーザが選択するためのオプションを生成してもよい。ユーザが一覧からメディアアセットを消費するにつれて、メディアガイドアプリケーションは、最近視聴されたメディアアセットのログを一覧から取り込んでもよい。メディアガイドアプリケーションは、第１のメディアアセットを一覧からの最近視聴されたメディアアセットのログから選択してもよい。別の実施例では、メディアガイドアプリケーションは、ログを処理し、第１のメディアアセットを反復的に識別してもよい。いくつかの実施形態では、メディアガイドアプリケーションは、ユーザによってまだ消費されていない第１のメディアアセットを選択してもよい。例えば、メディアガイドアプリケーションは、記録されたメディアアセットの一覧からメディアアセットを反復的に選択してもよい。別の実施例では、メディアガイドアプリケーションは、記録されたメディアアセットの一覧を自動的に処理し、ユーザによって消費のために要求されたメディアアセットと関連付けられたシリーズに合致するシリーズに対応するメディアアセットを識別してもよい。メディアガイドアプリケーションは、第１のメディアアセットを識別されたメディアアセットから選択してもよい。
【００３２】
いくつかの実施形態では、メディアガイドアプリケーションは、ユーザが第２のメディアアセットを消費しようとしていることを検出してもよい。例えば、メディアガイドアプリケーションは、メディアガイドアプリケーションと関連付けられた入力を監視してもよい。ある実施例では、メディアガイドアプリケーションは、マイクロホン、タッチスクリーン、マウス、キーボード、遠隔制御、ネットワークインターフェース等の入力デバイスからの信号を解釈するように入力を構成してもよい。メディアガイドアプリケーションは、入力を解釈し、入力とメディアアセットを相関させてもよい。例えば、メディアガイドアプリケーションは、メディアガイドアプリケーションと関連付けられた入力に接続されるタッチスクリーンにおいてユーザ入力を検出してもよい。メディアガイドアプリケーションは、タッチスクリーン入力を解釈し、ユーザ入力に対応するタッチスクリーンの座標を識別してもよい。メディアガイドアプリケーションは、タッチスクリーンの座標とタッチスクリーンと関連付けられたディスプレイ画面のピクセルを相互参照し、タッチスクリーン入力と関連付けられたピクセルを識別してもよい。メディアガイドアプリケーションは、ピクセルの場所と表示のためにディスプレイ画面上のメディアガイドアプリケーションによって生成されるアイテムの場所を相互参照し、ユーザ入力と関連付けられたメディアアセットを識別してもよい。メディアガイドアプリケーションは、メディアアセットと関連付けられたユーザ入力をメディアアセットを消費する要求として識別してもよい。別の実施例では、メディアガイドアプリケーションは、メディアガイドアプリケーションと関連付けられた赤外線入力においてユーザ入力を検出してもよい（例えば、遠隔制御を介して）。メディアガイドアプリケーションは、ユーザ入力と関連付けられた「選択」コマンドまたは均等物を識別してもよい。メディアガイドアプリケーションは、「選択」コマンドとメディアガイドアプリケーションと関連付けられたディスプレイ画面上に表示されるアイテムを相関させ、ユーザ入力に対応するメディアアセットを識別してもよい。メディアガイドアプリケーションは、ユーザ入力をユーザ入力と関連付けられたメディアアセットを消費する要求として識別してもよい。別の実施例では、メディアガイドアプリケーションは、第２のメディアアセットを消費するユーザによる要求を識別するデータを含有するメディアガイドアプリケーションと関連付けられたネットワーク入力において、パケットを検出してもよい。
【００３３】
いくつかの実施形態では、メディアガイドアプリケーションは、ユーザに、消費のために要求されたメディアアセットの一覧を選択するオプションを提示してもよい。例えば、メディアガイドアプリケーションは、ユーザに、メディアアセットの再生一覧を生成するオプションを提示してもよい。いくつかの実施形態では、メディアガイドアプリケーションは、一覧内のメディアアセットのユーザ消費を追跡してもよい。例えば、メディアガイドアプリケーションは、ユーザによって消費された後、メディアアセットを一覧から除去することによって、メディアアセットのユーザ消費を追跡してもよい。メディアガイドアプリケーションは、再生一覧上にアイテムが依然として存在するかどうかをチェックすることによって、第２のユーザが第２のメディアアセットを消費しようとしていることを検出してもよい。当業者は、これらがユーザが第２のメディアアセットを消費しようとしていることを検出するための単なる例示的方法であることを認識するであろう。
【００３４】
いくつかの実施形態では、メディアガイドアプリケーションは、第２のメディアアセットと第１のメディアアセットを比較し、第２のメディアアセットの部分が第１のメディアアセットからのコンテンツに合致するかどうかを判定してもよい。例えば、メディアガイドアプリケーションは、第２のメディアアセットのフレームと第１のメディアアセットのフレームを比較し、第２のメディアアセットのフレームが第１のメディアアセットのフレームに合致するかどうかを判定してもよい。
【００３５】
本明細書で参照されるように、メディアアセットの「部分」は、メディアアセットの別の部分と区別可能なメディアアセットの任意の部分を指し得る。例えば、その部分は、フレーム、フレームのセット、場面、チャプタ等に対応してもよい。メディアガイドアプリケーションは、メディアアセットの再生長内の時間マーク（例えば、第１の時間マークから開始し、第２の時間マークで終了する部分）に基づいて、固有の部分を識別してもよい。代替として、または加えて、メディアガイドアプリケーションは、フレームの範囲（第１のフレームから開始し、第２のフレームで終了する部分）に基づいて、その部分を識別してもよい。代替として、または加えて、メディアガイドアプリケーションは、メディアアセット内のコンテンツに基づいて、その部分を識別してもよい（その部分は、特定のコンテンツの出現から開始し、同一または異なるコンテンツの出現で終了してもよい）。代替として、または加えて、メディアガイドアプリケーションは、メディアアセットと関連付けられたメタデータに基づいて、その部分を識別してもよい（その部分は、第１のメタデータタグから開始し、第２のメタデータタグで終了してもよい）。
【００３６】
例えば、第２のメディアアセットの部分は、第２のメディアアセットと関連付けられたフレームまたはビデオ画像であってもよい。別の実施例では、第２のメディアアセットの部分は、第２のメディアアセットの場面と関連付けられた男優または女優を識別するデータ等のメタデータであってもよい。別の実施例では、第２のメディアアセットの部分は、第２のメディアアセットと関連付けられた時間範囲によって識別されてもよい。別の実施例では、第２のメディアアセットの部分は、第２のメディアアセット全体を備えてもよい。いくつかの実施形態では、第２のメディアアセットの再生の間、その部分の前にメディアアセットの第２の部分が先行してもよい。例えば、第２のメディアアセットは、第２のメディアアセットの再生の間、第２の部分がその部分に先行するように、第２の部分を備えてもよい。別の実施例では、第２のメディアアセットは、第３の部分を備えてもよく、第３の部分は、第２のメディアアセットの再生の間、その部分に続く。
【００３７】
いくつかの実施形態では、メディアガイドアプリケーションは、第２のメディアアセットを通して反復し、第２のメディアアセットの部分を識別してもよい。例えば、メディアガイドアプリケーションは、第２のメディアアセットの第１のフレームをその部分として選択してもよい。メディアガイドアプリケーションは、第１のフレームと第１のメディアアセットに対応するフレームを比較し、合致するフレームを識別してもよい。例えば、メディアガイドアプリケーションは、画像処理アルゴリズムを採用し、２つのフレーム間の類似度値を導出してもよい。フレームが少なくとも閾値だけ類似する場合、メディアガイドアプリケーションは、フレームが合致することを判定してもよい。メディアガイドアプリケーションは、閾値に関してユーザにクエリすることによって、またはローカルもしくはメディアガイドアプリケーションから遠隔に記憶された変数にアクセスすることによって、閾値を判定してもよい。比較後、メディアガイドアプリケーションは、第２のメディアアセットの第２のフレームをその部分として選択してもよく、第２の比較を行ってもよい。
【００３８】
いくつかの実施形態では、メディアガイドアプリケーションは、その部分に対応する第２のメディアアセットのフレームを判定してもよい。例えば、メディアガイドアプリケーションは、第２のメディアアセットの部分に対応する複数のフレームのうちのフレームを識別してもよい。いくつかの実施形態では、メディアガイドアプリケーションは、フレームと第１のメディアアセット内の複数のフレームを一覧にしたデータベースを相互参照し、フレームが第１のメディアアセットの複数のフレームのうちの１つに合致するかどうかを判定してもよい。例えば、メディアガイドアプリケーションは、データベース内のフレームを通して反復することによって、第１のメディアアセットのフレームを選択してもよい。メディアガイドアプリケーションは、画像処理アルゴリズムを第１のメディアアセットのフレームに適用し、類似度値を導出することによって、フレームの画像データを比較してもよい。例えば、画像処理アルゴリズムは、フレームのそれぞれ内のピクセル毎にピクセルデータを比較してもよい。類似度値を導出するために、メディアガイドアプリケーションは、両フレームに合致するピクセルのパーセンテージを算出してもよい。類似度値が類似度閾値を上回る場合、メディアガイドアプリケーションは、フレームが合致することを判定してもよい。例えば、メディアガイドアプリケーションは、類似度値とメディアガイドアプリケーションにローカルに記憶された類似度閾値を比較してもよい。メディアガイドアプリケーションが、類似度値が類似度閾値を上回ることを判定する場合、メディアガイドアプリケーションは、フレームが合致すると見なす。そうでなければ、メディアガイドアプリケーションは、フレームが合致しないと判定する。
【００３９】
いくつかの実施形態では、メディアガイドアプリケーションは、その部分に対応するメタデータを読み出してもよい。例えば、メディアガイドアプリケーションは、データベースから、その部分内のコンテンツの初期放映日を示すデータを読み出してもよい。その部分内のコンテンツは、第２のメディアアセットと異なる初期放映日を有する別のメディアアセットからのコンテンツに対応してもよい。例えば、その部分は、ショーの以前に放映されたエピソードの再現部に対応してもよい。メディアガイドアプリケーションは、その部分のメタデータと第１のメディアアセットのメタデータを一覧にしたデータベースを相互参照し、その部分が第１のメディアアセットからのコンテンツに合致するかどうかを判定してもよい。例えば、メディアガイドアプリケーションは、その部分内のコンテンツの初期放映日を示すデータと複数のメディアアセットに関する初期放映日を一覧にしたデータベースを相互参照し、その部分が第１のメディアアセットからのコンテンツに合致するかどうかを判定してもよい。
【００４０】
いくつかの実施形態では、メディアガイドアプリケーションは、その部分に対応するイベントを読み出してもよい。本明細書で参照されるように、「イベント」は、メディアアセットの部分と関連付けられた任意のデータ（例えば、メタデータタグ、フレーム内に現れるオブジェクト等）であってもよい。例えば、メディアガイドアプリケーションは、その部分内のコンテンツと関連付けられた場面または俳優を示すデータを読み出してもよい。第２のメディアアセットは、第２のメディアアセットと関連付けられたイベントを示すタグと関連付けられてもよく、タグはそれぞれ、第２のメディアアセット内の時間位置と関連付けられる。メディアガイドアプリケーションは、画像および／または音処理アルゴリズムをメディアアセットのフレームに適用することによって、タグを自動的に生成してもよい。例えば、メディアガイドアプリケーションは、その部分内の男優／女優の顔および男優／女優と関連付けられたアクションを識別してもよい。いくつかの実施形態では、メディアガイドアプリケーションは、第２のメディアアセットを鑑賞するユーザの母集団のユーザによって生成されたタグを読み出す。メディアガイドアプリケーションは、ユーザによって生成されるタグを一覧にしたデータベースにアクセスしてもよい。別の実施例では、第２のメディアアセットのコンテンツプロバイダは、メディアアセットと関連付けられたタグのデータベースを更新および維持してもよい。メディアガイドアプリケーションは、コンテンツプロバイダと関連付けられたデータベースにアクセスし、タグを読み出してもよい。メディアガイドアプリケーションは、その部分の時間（例えば、第２のメディアアセット内の時間に対するその部分の開始時間）と第２のメディアアセットの時間タグ対を一覧にしたデータベースを相関させてもよい。メディアガイドアプリケーションは、タグをその部分に対応するデータベースから読み出してもよい。
【００４１】
いくつかの実施形態では、メディアガイドアプリケーションは、その部分のイベントと第１のメディアアセットのイベントを一覧にしたデータベースを相互参照し、その部分が第１のメディアアセットからのコンテンツに合致するかどうかを判定してもよい。例えば、メディアガイドアプリケーションは、登場人物および登場人物と関連付けられた話の筋を識別する、その部分に対応するデータタグを読み出してもよい。実施例として、メディアガイドアプリケーションは、登場人物がその部分において結婚することを示す、データを読み出してもよい。メディアガイドアプリケーションは、その部分のタグと第１のメディアアセットのタグを一覧にしたデータベースを相互参照し、データベースが登場人物が第１のメディアアセット内で結婚することを示すデータを備えるかどうかを判定してもよい。データベースが、登場人物が第１のメディアアセット内で結婚することを示すデータを備える場合、その部分は、メディアガイドアプリケーションによって、第１のメディアアセットからのコンテンツに合致すると判定される。
【００４２】
いくつかの実施形態では、メディアガイドアプリケーションは、その部分と関連付けられたシリーズのエピソードおよび第１のメディアアセットと関連付けられたシリーズのエピソードを識別してもよい。例えば、その部分は、一連の第２のメディアアセットのエピソードと異なるシリーズのエピソードからのコンテンツ（例えば、クロスオーバーエピソードからのショー再現部またはコンテンツ）を備えてもよい。メディアガイドアプリケーションは、第２のメディアアセット内の一連の関連付けられたコンテンツのエピソードを一覧にしたデータベースにアクセスしてもよい。いくつかの実施形態では、メディアガイドアプリケーションは、フレームをその部分から捕捉してもよく、メディアガイドアプリケーションは、フレームとシリーズの複数のエピソードのフレームのデータベースを相互参照してもよい。例えば、メディアガイドアプリケーションは、画像処理アルゴリズムを使用して、その部分のフレームに合致するデータベース内のフレームを識別してもよい。メディアガイドアプリケーションが、合致するフレームを識別すると、メディアガイドアプリケーションは、合致するフレームのエピソードおよびシリーズをその部分に対応するエピソードおよびシリーズとして読み出すであろう。ある実施例では、メディアガイドは、第１のメディアアセットと関連付けられたシリーズのエピソードに関してメディアガイド情報のデータベースにクエリすることによって、第１のメディアアセットと関連付けられたシリーズのエピソードを識別してもよい。例えば、メディアガイドアプリケーションは、メディアアセットに関する一意の識別子を生成してもよく（例えば、第１のメディアアセットに対応するデータをハッシュすることによって）、クエリ内の一意の識別子をメディアガイド情報のデータベースに伝送してもよい。メディアガイドアプリケーションは、第１のメディアアセットと関連付けられたシリーズのエピソードを含有するメディアガイド情報のデータベースからの応答を受信してもよい。メディアガイドアプリケーションは、その部分と関連付けられたシリーズのエピソードと第１のメディアアセットと関連付けられたシリーズのエピソードを比較し、第２のメディアアセットの部分が第１のメディアアセットからのコンテンツに合致するかどうかを判定してもよい。
【００４３】
いくつかの実施形態では、メディアガイドアプリケーションは、第２のメディアアセットの部分が第１のメディアアセットからのコンテンツに合致することの判定に応答して、第２のメディアアセットを編集し、その部分を除去してもよい。例えば、メディアガイドアプリケーションは、その部分に対応する全フレームを第２のメディアアセットから除去してもよい。
【００４４】
いくつかの実施形態では、メディアガイドアプリケーションは、その部分の知覚される再生速度を増加させることによって、編集された部分を生成してもよい。例えば、メディアガイドアプリケーションは、編集された部分が、その部分のフレームのある割合の部分を備えるように、編集された部分を生成してもよい。メディアガイドアプリケーションは、ユーザが編集された部分をその部分の加速バージョンとして知覚し得るように、編集された部分を再生してもよい。
【００４５】
いくつかの実施形態では、メディアガイドアプリケーションは、第２のメディアアセットを編集し、その部分と編集された部分を置換してもよい。例えば、メディアガイドアプリケーションは、その部分に対応する全フレームを第２のメディアアセットから除去してもよく、代わりに、編集された部分に対応するフレームを第２のメディアアセット内に挿入してもよい。ある実施例では、メディアガイドアプリケーションは、第２のメディアアセットの再生の間、ユーザがその部分が早送りされて知覚するように、その部分と編集された部分を置換してもよい。
【００４６】
いくつかの実施形態では、メディアガイドアプリケーションは、ユーザが最後に第１のメディアアセットを視聴してからの時間の長さに応じて、その部分の知覚される再生速度を変動させてもよい。例えば、メディアガイドアプリケーションは、ユーザに対応するプロファイルから、ユーザが第１のメディアアセットを視聴した最後の時間に対応する時間を読み出してもよい。時間が閾値時間値を下回る場合、メディアガイドアプリケーションは、知覚される再生速度を高速で増加させてもよい。時間が閾値時間値を下回る場合、メディアガイドアプリケーションは、知覚される再生速度を低速に低下させてもよい。高速は、メディアガイドアプリケーションによって、低速を上回る率として選択されてもよい。低速は、メディアガイドアプリケーションによって、低速が、第２のメディアアセットの通常再生速度を上回るが、高速より遅くなるように選択されてもよい。
【００４７】
いくつかの実施形態では、メディアガイドアプリケーションは、表示のために、編集された第２のメディアアセットを生成してもよい。例えば、メディアガイドアプリケーションは、メディアガイドアプリケーションと関連付けられたディスプレイデバイス上での表示のために、編集された第２のメディアアセットを生成してもよい。
【００４８】
いくつかの実施形態では、メディアガイドアプリケーションは、ユーザに第２のメディアアセットから除去されたその部分を視聴するオプションを提示してもよい。例えば、メディアガイドアプリケーションは、表示のために、ユーザに、その部分が以前に視聴されたメディアアセットからのコンテンツを含有することを知らせるメッセージを生成してもよい。メディアガイドアプリケーションは、表示のために、プロンプトを生成し、ユーザに、その部分を視聴することを所望するかどうかを決定するように促してもよい。メディアガイドアプリケーションは、表示のために、その部分をスキップする、その部分をより高速で再生する、その部分を通常速度で再生する等のオプション等、種々のオプションを生成してもよい。
【００４９】
いくつかの実施形態では、メディアガイドアプリケーションは、第１のメディアアセットを消費した後、第２のメディアアセットを消費する、ユーザの母集団のユーザ挙動を監視してもよい。例えば、メディアガイドアプリケーションは、第１のメディアアセットを消費した後、第２のメディアアセットを消費する、ユーザに関して、第２のメディアアセットとのユーザ相互作用等、ユーザ挙動を追跡してもよい。例えば、メディアガイドアプリケーションは、ユーザ相互作用のデータベース内に、ユーザがどのように第２のメディアアセットと相互作用したかの証拠となるデータ（例えば、ユーザが第２のメディアアセットの部分を早送りしたかどうかの証拠となるデータ、早送りコマンドに対応する第２のメディアアセット内の場所等）を記録してもよい。
【００５０】
いくつかの実施形態では、メディアガイドアプリケーションは、監視に応答して、母集団の閾値人数のユーザによるその部分に対応する早送り挙動を検出してもよい。例えば、メディアガイドアプリケーションは、母集団のユーザが、第１のメディアアセットの視聴後、メディアアセットの部分を早送りする度に、メディアガイドアプリケーションによってインクリメントされる変数を記憶してもよい。実施例として、メディアガイドアプリケーションは、複数のユーザから、該ユーザが第１のメディアアセット（例えば、第２のメディアアセットのエピソードに先行し得るエピソード）を視聴した後、第２のメディアアセットの部分（例えば、エピソード再現部に対応する部分）を通して早送りする挙動を検出してもよい。いくつかの実施形態では、メディアガイドアプリケーションは、前述のように、その部分を識別し、その部分を使用して、第２のメディアアセットと第１のメディアアセットを比較してもよい。
【００５１】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイドは、これらのデバイス上でも利用可能であってもよい。提供されるガイドは、テレビのみを通して利用可能なコンテンツ、他のタイプのユーザ機器デバイスのうちの１つまたはそれを上回るもののみを通して利用可能なコンテンツ、またはテレビおよび他のタイプのユーザ機器デバイスのうちの１つまたはそれを上回るものの両方を通して利用可能なコンテンツのためのものであってもよい。メディアガイドアプリケーションは、ユーザ機器デバイス上で、オンラインアプリケーション（すなわち、ウェブサイト上で提供される）、もしくは独立型アプリケーションまたはクライアントとして提供されてもよい。メディアガイドアプリケーションを実装し得る、種々のデバイスおよびプラットフォームは、以下でより詳細に説明される。
【００５２】
いくつかの実施形態では、メディアガイドアプリケーションは、図１−２に描写される例証的ディスプレイ画面の要素とのユーザ相互作用を通して、ユーザが第２のメディアアセットを消費しようとしていることを検出してもよい。図１−２は、メディアガイドデータを提供するために使用され得る、例証的表示画面を示す。図１−２に示される表示画面は、任意の好適なユーザ機器デバイスまたはプラットフォーム上に実装されてもよい。図１−２の表示は、フル画面表示として図示されているが、それらはまた、表示されているコンテンツ上に完全またはその部分的にオーバーレイされてもよい。ユーザは、表示画面に提供された選択可能なオプション（例えば、メニューオプション、一覧オプション、アイコン、ハイパーリンク等）を選択することによって、もしくはリモートコントロールまたは他のユーザ入力インターフェースもしくはデバイス上の専用ボタン（例えば、「ガイド」ボタン）を押下することによって、コンテンツ情報へのアクセス要望を指示してもよい。ユーザの指示に応答して、メディアガイドアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイド情報を伴う表示画面を提供してもよい。
【００５３】
図１は、単一表示内の異なるタイプのコンテンツへのアクセスも可能にする、時間およびチャンネル別に配列された番組一覧表示１００の例証的グリッドを示す。表示１００は、以下を伴うグリッド１０２を含んでもよい：（１）各チャンネル／コンテンツタイプ識別子（列内のセル）が利用可能な異なるチャンネルまたはコンテンツのタイプを識別する、チャンネル／コンテンツタイプ識別子１０４の列、および（２）各時間識別子（行内のセル）が番組の時間帯を識別する、時間識別子１０６の行。グリッド１０２はまた、番組一覧１０８等の番組一覧のセルも含み、各一覧は、一覧の関連チャンネルおよび時間の上に提供される、番組のタイトルを提供する。ユーザ入力デバイスを用いて、ユーザは、ハイライト領域１１０を移動させることによって番組一覧を選択することができる。ハイライト領域１１０によって選択される番組一覧に関する情報が、番組情報領域１１２内に提供されてもよい。領域１１２は、例えば、番組タイトル、番組内容、番組が提供される時間（該当する場合）、番組が放送されるチャンネル（該当する場合）、番組の評価、および他の所望の情報を含んでもよい。
【００５４】
線形番組（例えば、所定の時間に複数のユーザ機器デバイスに伝送されるようにスケジューリングされ、スケジューリングに従って提供される、コンテンツ）へのアクセスの提供に加え、メディアガイドアプリケーションはまた、非線形番組（例えば、任意の時間においてユーザ機器デバイスにアクセス可能であって、スケジューリングに従って提供されない、コンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、映画または特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００５５】
グリッド１０２は、オンデマンド一覧１１４、録画コンテンツ一覧１１６、およびインターネットコンテンツ一覧１１８を含む、非線形番組のメディアガイドデータを提供してもよい。異なるタイプのコンテンツソースからのコンテンツのためのメディアガイドデータを組み合わせる表示は、「混合メディア」表示と称されることもある。表示１００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧１１４、１１６、および１１８は、これらの一覧の選択が、それぞれ、オンデマンド一覧、録画一覧、またはインターネット一覧専用の表示へのアクセスを提供し得ることを示すように、グリッド１０２内に表示される時間帯全体に及ぶものとして示されている。いくつかの実施形態では、これらのコンテンツタイプの一覧は、グリッド１０２に直接含まれてもよい。ユーザがナビゲーションアイコン１２０のうちの１つを選択することに応答して、付加的メディアガイドデータが表示されてもよい（ユーザ入力デバイス上の矢印キーを押下することによって、ナビゲーションアイコン１２０を選択することと同様に表示に影響を及ぼしてもよい）。
【００５６】
表示１００はまた、ビデオ領域１２２、広告１２４、およびオプション領域１２６を含んでもよい。ビデオ領域１２２は、ユーザが、現在利用可能である、今後利用可能となる、またはユーザに利用可能であった番組を視聴および／またはプレビューすることを可能にしてもよい。ビデオ領域１２２のコンテンツは、グリッド１０２に表示される一覧のうちの１つに対応するか、またはそれから独立してもよい。ビデオ領域を含むグリッド表示は、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイドアプリケーション表示画面に含まれてもよい。
【００５７】
広告１２４は、（例えば、購読番組に対する）視聴者のアクセス権に応じて、現在視聴が利用可能である、将来視聴が利用可能となる、または決して視聴利用可能とはなり得ない、コンテンツの広告を提供してもよく、グリッド１０２内のコンテンツ一覧のうちの１つまたはそれを上回るものに対応するか、または無関係であってもよい。広告１２４はまた、グリッド１０２内で表示されるコンテンツに関係するか、または無関係である製品もしくはサービスに対するものであってもよい。広告１２４は、選択可能であってもよく、コンテンツに関するさらなる情報を提供する、製品またはサービスに関する情報を提供する、コンテンツ、製品、またはサービスの購入を可能にする、広告に関するコンテンツを提供する等を行ってもよい。広告１２４は、ユーザのプロファイル／選好、監視されたユーザ活動、提供される表示のタイプ、または他の好適な標的化された広告基盤に基づいて標的化されてもよい。
【００５８】
広告１２４は、長方形またはバナー形状として示されているが、広告は、ガイドアプリケーション表示内の任意の好適なサイズ、形状、および場所で提供されてもよい。例えば、広告１２４は、グリッド１０２に水平方向に隣接する長方形として提供されてもよい。これは、パネル広告と称されることもある。加えて、広告は、コンテンツまたはガイドアプリケーション表示上にオーバーレイされるか、または表示内に埋め込まれてもよい。広告はまた、テキスト、画像、回転画像、ビデオクリップ、または前述の他のタイプのコンテンツを含んでもよい。広告は、ガイドアプリケーションを有するユーザ機器デバイス内、ユーザ機器に接続されたデータベース内、遠隔場所（ストリーミングメディアサーバを含む）内、もしくは他の記憶手段またはこれらの場所の組み合わせ上に記憶されてもよい。メディアガイドアプリケーションに広告を提供するステップは、例えば、それらの全体で参照することにより本明細書に組み込まれる、２００３年１月１７日出願のＫｎｕｄｓｏｎらの米国特許出願第２００３／０１１０４９９号、２００４年６月２９日発行のＷａｒｄ，ＩＩＩらの米国特許第６，７５６，９９７号、および２００２年５月１４日発行のＳｃｈｅｉｎらの米国特許第６，３８８，７１４号で、さらに詳細に論じられている。広告は、本明細書に説明される実施形態の他のメディアガイドアプリケーション表示画面に含まれてもよいことが理解されるであろう。
【００５９】
オプション領域１２６は、ユーザが、異なるタイプのコンテンツ、メディアガイドアプリケーション表示、および／またはメディアガイドアプリケーション特徴にアクセスすることを可能にしてもよい。オプション領域１２６は、ディプレイ１００（および本明細書に説明される他の表示画面）の部分であってもよく、もしくは画面上のオプションを選択すること、またはユーザ入力デバイス上の専用または割当可能ボタンを押下することによって、ユーザによって呼び出されてもよい。オプション領域１２６内の選択可能オプションは、グリッド１０２内の番組一覧に関連する特徴に関してもよく、またはメインメニュー表示から利用可能なオプションを含んでもよい。番組一覧に関連する特徴は、他の放送時間または番組の受信方法の検索、番組の録画、番組の連続録画の有効化、番組および／またはチャンネルをお気に入りとして設定、番組の購入、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするためのオプション、プレミアムサービスを購読するためのオプション、ユーザのプロファイルを編集するためのオプション、ブラウザオーバーレイにアクセスするためのオプション、もしくは他のオプションを含んでもよい。
【００６０】
メディアガイドアプリケーションは、ユーザの選好に基づいて個人化されてもよい。個人化されたメディアガイドアプリケーションは、ユーザが、メディアガイドアプリケーションによって個人化された「体験」を生成するように、表示および特徴をカスタマイズすることを可能にする。この個人化された体験は、ユーザがこれらのカスタマイズを入力できるようにすることによって、および／または種々のユーザ選好を判定するようにメディアガイドアプリケーションがユーザ活動を監視することによって、生成されてもよい。ユーザは、ログインすることによって、または別様にガイドアプリケーションに対して自らを識別することによって、個人化されたガイドアプリケーションにアクセスしてもよい。メディアガイドアプリケーションのカスタマイズは、ユーザプロファイルに従って作成されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネルオプションに基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させるステップを含んでもよい。
【００６１】
メディアガイドアプリケーションは、ユーザが、ユーザプロファイル情報を提供することを可能にしてもよく、またはユーザプロファイル情報を自動的にコンパイルしてもよい。メディアガイドアプリケーションは、例えば、ユーザがアクセスするコンテンツ、および／またはユーザがガイドアプリケーションと行ってもよい他の相互作用を監視してもよい。加えて、メディアガイドアプリケーションは、特定のユーザに関連する他のユーザプロファイルの全体または部分を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザに関する情報を取得してもよい。結果として、ユーザの異なるユーザ機器デバイスにわたって、統一されたガイドアプリケーション体験をユーザに提供することができる。このタイプのユーザ体験は、図４に関連して、以下でより詳細に説明される。付加的な個人化されたメディアガイドアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００６２】
メディアガイドを提供するための別の表示配列が、図２に示されている。ビデオモザイク表示２００は、コンテンツのタイプ、ジャンル、および／または他の編成基準に基づいて編成されたコンテンツ情報のための選択可能オプション２０２を含む。表示２００では、テレビ一覧オプション２０４が、選択され、したがって、一覧２０６、２０８、２１０、および２１２を放送番組一覧として提供する。表示２００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧のそれぞれはまた、一覧と関連付けられたコンテンツに関するさらなる情報を提供するように、テキストを伴ってもよい。例えば、一覧２０８は、メディア部分２１４およびテキスト部分２１６を含む、１つより多くの部分を含んでもよい。メディア部分２１４および／またはテキスト部分２１６は、コンテンツをフル画面で視聴するように、またはメディア部分２１４に表示されるコンテンツに関連する情報を閲覧するように（例えば、ビデオが表示されるチャンネルの一覧を閲覧するように）、選択可能であってもよい。
【００６３】
表示２００中の一覧は、異なるサイズである（すなわち、一覧２０６は、一覧２０８、２１０、および２１２より大きい）が、所望の場合、全一覧が同一のサイズであってもよい。一覧は、コンテンツプロバイダの所望に応じて、またはユーザ選好に基づいて、ユーザが関心の程度を示すように、または、あるコンテンツを強調するように、異なるサイズであるか、またはグラフィックが強調されてもよい。コンテンツ一覧をグラフィック的に強調するための種々のシステムおよび方法は、例えば、全体として参照することにより本明細書に組み込まれる、２００９年１１月１２日出願のＹａｔｅｓの米国特許出願第２０１０／０１５３８８５号で論じられている。
【００６４】
ユーザは、そのユーザ機器デバイスのうちの１つまたはそれを上回るものから、コンテンツおよびメディアガイドアプリケーション（ならびに上記および下記で説明されるその表示画面）にアクセスしてもよい。図３は、例証的ユーザ機器デバイス３００の一般化された実施形態を示す。ユーザ機器デバイスのより具体的な実装は、図４に関連して以下で論じられる。ユーザ機器デバイス３００は、入出力（以下「Ｉ／Ｏ」）パス３０２を介して、コンテンツおよびデータを受信してもよい。I／Ｏパス３０２は、処理回路３０６および記憶３０８を含む制御回路３０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路３０４は、I／Ｏパス３０２を使用して、コマンド、要求、および他の好適なデータを送受信するために使用されてもよい。I／Ｏパス３０２は、制御回路３０４（具体的には、処理回路３０６）を１つまたはそれを上回る通信パス（以下で説明される）に接続してもよい。I／Ｏ機能は、これらの通信パスのうちの１つまたはそれを上回るものによって提供されてもよいが、図面が複雑になり過ぎることを回避するため、図３では単一パスとして示されている。
【００６５】
制御回路３０４は、処理回路３０６等の任意の好適な処理回路に基づいてもよい。本明細書で参照されるように、処理回路とは、１つまたはそれを上回るマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路３０４は、メモリ（すなわち、記憶３０８）に記憶されたメディアガイドアプリケーションに対する命令を実行する。具体的には、制御回路３０４は、メディアガイドアプリケーションによって、前述および後述の機能を行うように命令されてもよい。例えば、メディアガイドアプリケーションは、制御回路３０４に、メディアガイド表示を生成するための命令を提供してもよい。いくつかの実装では、制御回路３０４によって行われるいかなるアクションも、メディアガイドアプリケーションから受信した命令に基づいてもよい。
【００６６】
クライアントサーバに基づく実施形態では、制御回路３０４は、ガイドアプリケーションサーバもしくは他のネットワークまたはサーバと通信するための好適な通信回路を含んでもよい。前述の機能性を実施するための命令は、ガイドアプリケーションサーバ上に記憶されてもよい。通信回路は、ケーブルモデム、総合デジタル通信網（ＩＳＤＮ）モデム、デジタル加入者回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（図４に関連してさらに詳細に説明される）。加えて、通信回路は、ユーザ機器デバイスのピアツーピア通信、または相互から遠隔の場所にあるユーザ機器デバイスの通信を可能にする回路を含んでもよい（以下でさらに詳細に説明される）。
【００６７】
メモリは、制御回路３０４の部分である、記憶３０８として提供される、電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ（パーソナルビデオレコーダと呼ばれる場合もある）、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の電子データ、コンピュータソフトウェア、またはファームウェアを記憶するための任意のデバイスを意味すると理解されたい。記憶３０８は、本明細書に説明される種々のタイプのコンテンツ、ならびに前述のメディアガイドデータを記憶するために使用されてもよい。非揮発性メモリもまた、使用されてもよい（例えば、ブートアップルーチンや他の命令を起動するために）。図４に関連して説明される、クラウドベースの記憶が、記憶３０８を補完するために使用される、または記憶３０８の代わりに使用されてもよい。
【００６８】
制御回路３０４は、１つまたはそれを上回るアナログチューナ、１つまたはそれを上回るＭＰＥＧ−２デコーダ、または他のデジタル復号回路、高解像度チューナ、または任意の他の好適な同調もしくはビデオ回路、もしくはそのような回路の組み合わせ等のビデオ生成回路および同調回路を含んでもよい。符号化回路（例えば、記憶のために、無線、アナログ、またはデジタル信号をＭＰＥＧ信号に変換するためのもの）もまた、提供されてもよい。制御回路３０４はまた、コンテンツをユーザ機器３００の好ましい出力形式に上方変換および下方変換するためのスケーラ回路を含んでもよい。回路３０４はまた、デジタルおよびアナログ信号間で変換するためのデジタルからアナログへの変換回路およびアナログからデジタルへの変換回路を含んでもよい。同調および符号化回路は、コンテンツを受信して表示する、再生する、または録画するために、ユーザ機器デバイスによって使用されてもよい。同調および符号化回路はまた、ガイドデータを受信するために使用されてもよい。例えば、同調、ビデオ生成、符号化、復号、暗号化、解読、スケーラ、およびアナログ／デジタル回路を含む、本明細書に説明される回路は、１つまたはそれを上回る汎用または特殊プロセッサ上で起動するソフトウェアを使用して実装されてもよい。複数のチューナが、同時同調機能を扱うために提供されてもよい（例えば、視聴および録画機能、ピクチャインピクチャ（ＰＩＰ）機能、多重チューナ録画機能等）。記憶３０８が、ユーザ機器３００とは別のデバイスとして提供される場合、同調および符号化回路（複数のチューナを含む）は、記憶３０８と関連付けられてもよい。
【００６９】
ユーザは、ユーザ入力インターフェース３１０を使用して、命令を制御回路３０４に送信してもよい。ユーザ入力インターフェース３１０は、リモートコントロール、マウス、トラックボール、キーパッド、キーボード、タッチ画面、タッチパッド、スタイラス入力、ジョイスティック、音声認識インターフェース、または他のユーザ入力インターフェース等、任意の好適なユーザインターフェースであってもよい。ディスプレイ３１２は、独立型デバイスとして提供されるか、またはユーザ機器デバイス３００の他の要素と統合してもよい。例えば、ディスプレイ３１２は、タッチスクリーンまたはタッチセンサ式表示であってもよい。そのような状況では、ユーザ入力インターフェース３１０は、ディスプレイ３１２と統合される、または組み合わせられてもよい。ディスプレイ３１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つまたはそれを上回るものであってもよい。いくつかの実施形態では、ディスプレイ３１２は、ＨＤＴＶ対応型であってもよい。いくつかの実施形態では、ディスプレイ３１２は、３Ｄ表示であってもよく、双方向メディアガイドアプリケーションおよび任意の好適なコンテンツは、３Ｄで表示されてもよい。ビデオカードまたはグラフィックカードは、出力をディスプレイ３１２に生成してもよい。ビデオカードは、３Ｄシーンおよび２Ｄグラフィックのレンダリング加速、ＭＰＥＧ−２／ＭＰＥＧ−４復号、ＴＶ出力、または複数のモニタを接続する能力等の種々の機能をもたらしてもよい。ビデオカードは、制御回路３０４に関連する前述の任意の処理回路であってもよい。ビデオカードは、制御回路３０４と統合されてもよい。スピーカ３１４は、ユーザ機器デバイス３００の他の要素との統合として提供されてもよく、または独立型ユニットであってもよい。ディスプレイ３１２上に表示されるビデオおよび他のコンテンツのオーディオ構成要素は、スピーカ３１４を通して再生されてもよい。いくつかの実施形態では、音声は、スピーカ３１４を介して音声を処理および出力する、受信機（図示せず）に配信されてもよい。
【００７０】
ガイドアプリケーションは、任意の好適なアーキテクチャを使用して実装されてもよい。例えば、それは、ユーザ機器デバイス３００上で完全に実装される、独立型アプリケーションであってもよい。そのようなアプローチでは、アプリケーションの命令は、ローカルに記憶され（例えば、記憶３０８内に）、アプリケーションによって使用するためのデータは、周期的にダウンロードされる（例えば、帯域外フィードから、インターネットリソースから、または別の好適なアプローチを使用して）。制御回路３０４は、記憶３０８からアプリケーションの命令を読み出し、本明細書で論じられる表示のいずれかを生成するための命令を処理してもよい。処理された命令に基づいて、制御回路３０４は、入力が入力インターフェース３１０から受信されるときに行うアクションを判定してもよい。例えば、表示上のカーソルの上／下への移動は、入力インターフェース３１０が上／下ボタンが選択されたことを示すとき、処理された命令によって示されてもよい。
【００７１】
いくつかの実施形態では、メディアガイドアプリケーションは、クライアントサーバベースのアプリケーションである。ユーザ機器デバイス３００上に実装される、シックまたはシンクライアントによって使用するためのデータは、ユーザ機器デバイス３００の遠隔にあるサーバに要求を発行することによって、オンデマンドで読み出される。クライアントサーバベースのガイドアプリケーションの一実施例では、制御回路３０４は、遠隔サーバによって提供されるウェブページを解釈する、ウェブブラウザを実行する。例えば、遠隔サーバは、記憶デバイス内にアプリケーションのための命令を記憶してもよい。遠隔サーバは、回路（例えば、制御回路３０４）を使用して、記憶された命令を処理し、前述および後述の表示を生成してもよい。クライアントデバイスは、遠隔サーバによって生成される表示を受信してもよく、表示のコンテンツを機器デバイス３００上でローカルに表示してもよい。このように、命令の処理は、サーバによって遠隔で行われる一方、結果として生じる表示は、機器デバイス３００上にローカルに提供される。機器デバイス３００は、入力インターフェース３１０を介して、ユーザからの入力を受信し、対応する表示を処理および生成するために、それらの入力を遠隔サーバに伝送してもよい。例えば、機器デバイス３００は、上／下ボタンが入力インターフェース３１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス３００に伝送される。
【００７２】
いくつかの実施形態では、メディアガイドアプリケーションは、インタープリタまたは仮想マシン（制御回路３０４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの部分として制御回路３０４によって受信され、制御回路３０４上で起動するユーザエージェントによって解釈されてもよい。例えば、ガイドアプリケーションは、ＥＢＩＦアプリケーションであってもよい。いくつかの実施形態では、ガイドアプリケーションは、制御回路３０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディア符号化スキームを採用するもの）では、ガイドアプリケーションは、例えば、番組のＭＰＥＧオーディオおよびビデオパケットを用いたＭＰＥＧ−２オブジェクトカルーセルにおいて符号化および伝送されてもよい。
【００７３】
図３のユーザ機器デバイス３００は、ユーザテレビ機器４０２、ユーザコンピュータ機器４０４、無線ユーザ通信デバイス４０６、または非携帯型ゲーム機等のコンテンツにアクセスするために好適な任意の他のタイプのユーザ機器として、図４のシステム４００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイドアプリケーションが実装され得る、ユーザ機器デバイスは、独立型デバイスとして機能してもよく、またはデバイスのネットワークの部分であってもよい。デバイスの種々のネットワーク構成が実装されてもよく、以下でさらに詳細に論じられる。
【００７４】
図３に関連して前述のシステム特徴のうちの少なくともいくつかを利用する、ユーザ機器デバイスは、ユーザテレビ機器４０２、ユーザコンピュータ機器４０４、または無線ユーザ通信デバイス４０６としてだけに分類されなくてもよい。例えば、ユーザテレビ機器４０２は、いくつかのユーザコンピュータ機器４０４のように、インターネットコンテンツへのアクセスを可能にするインターネット対応型であってもよい一方で、ユーザコンピュータ機器４０４は、いくつかのテレビ機器４０２のように、テレビ番組へのアクセスを可能にするチューナを含んでもよい。メディアガイドアプリケーションはまた、種々の異なるタイプのユーザ機器上で同一レイアウトを有してもよく、またはユーザ機器の表示能力に合わせられてもよい。例えば、ユーザコンピュータ機器４０４上では、ガイドアプリケーションは、ウェブブラウザによってアクセスされるウェブサイトとして提供されてもよい。別の実施例では、ガイドアプリケーションは、無線ユーザ通信デバイス４０６用にスケールダウンされてもよい。
【００７５】
システム４００では、典型的には、各タイプのユーザ機器デバイスが１つを上回って存在するが、図面が複雑になり過ぎることを回避するために、それぞれ１つだけが図４に示されている。加えて、各ユーザは、１つを上回るタイプのユーザ機器デバイスを利用してもよく、また、各タイプのユーザ機器デバイスのうちの１つを上回るものとを利用してもよい。
【００７６】
いくつかの実施形態では、ユーザ機器デバイス（例えば、ユーザテレビ機器４０２、ユーザコンピュータ機器４０４、無線ユーザ通信デバイス４０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用するように、またはソーシャルネットワークと相互作用するように構成される。第２の画面デバイスは、第１のデバイスと同一の部屋内に、第１のデバイスと異なる部屋であるが同一の家または建物内に、または第１のデバイスと異なる建物内に位置することができる。
【００７７】
ユーザはまた、家庭内デバイスおよび遠隔デバイスにわたって一貫したメディアガイドアプリケーション設定を維持するように、種々の設定を設定してもよい。設定は、本明細書に説明される設定、ならびにお気に入りのチャンネルおよび番組、番組を推奨するためにガイドアプリケーションが利用する番組選好、表示選好、および他の望ましいガイド設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、所望に応じて、同一のチャンネルが、ユーザの家庭内デバイス（例えば、ユーザテレビ機器およびユーザコンピュータ機器）、ならびにユーザのモバイルデバイス上でお気に入りとして表示される。したがって、同一のまたは異なるタイプのユーザ機器デバイスであるかどうかにかかわらず、１つのユーザ機器デバイス上で行われる変更は、別のユーザ機器デバイス上のガイド体験を変更することができる。さらに、行われる変更は、ユーザによる設定入力、ならびにガイドアプリケーションによって監視されるユーザ活動に基づいてもよい。
【００７８】
ユーザ機器デバイスは、通信ネットワーク４１４に連結されてもよい。すなわち、ユーザテレビ機器４０２、ユーザコンピュータ機器４０４、および無線ユーザ通信デバイス４０６は、それぞれ、通信パス４０８、４１０、および４１２を介して、通信ネットワーク４１４に連結される。通信ネットワーク４１４は、インターネット、携帯電話ネットワーク、モバイルボイスまたはデータネットワーク（例えば、４ＧまたはＬＴＥネットワーク））、ケーブルネットワーク、公衆交換電話ネットワーク、または他のタイプの通信ネットワーク、もしくは通信ネットワークの組み合わせを含む、１つまたはそれを上回るネットワークであってもよい。パス４０８、４１０、および４１２は、別個または一緒に、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等、１つまたはそれを上回る通信パスを含んでもよい。パス４１２は、図４に示された例示的実施形態において、無線パスであることを示すように破線で描かれ、パス４０８および４１０は、有線パスであることを示すように実線で描かれている（しかし、これらのパスは、所望に応じて、無線パスであってもよい）。ユーザ機器デバイスとの通信は、これらの通信パスのうちの１つまたはそれを上回るものによって提供されてもよいが、図４では、図面が複雑になり過ぎることを回避するために、単一パスとして示されている。
【００７９】
通信パスは、ユーザ機器デバイスの間には描かれていないが、これらのデバイスは、パス４０８、４１０、および４１２に関連して上記で説明されるもの、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、もしくは有線または無線パスを介した他の短距離通信等の通信パスを介して、相互に直接通信してもよい。ＢＬＵＥＴＯＯＴＨ（登録商標）は、Ｂｌｕｅｔｏｏｔｈ（登録商標）  ＳＩＧ，  ＩＮＣ．によって所有される認証マークである。ユーザ機器デバイスはまた、通信ネットワーク４１４を介した間接的パスを通して、直接相互に通信してもよい。
【００８０】
システム４００は、それぞれ、通信パス４２０および４２２を介して、通信ネットワーク４１４に連結される、コンテンツソース４１６およびメディアガイドデータソース４１８を含む。パス４２０および４２２は、パス４０８、４１０、および４１２に関して上記で説明される通信パスのうちのいずれかを含んでもよい。コンテンツソース４１６およびメディアガイドデータソース４１８との通信は、１つまたはそれを上回る通信パスを介して交信されてもよいが、図４では、図面が複雑になり過ぎることを回避するために、単一パスとして示されている。加えて、コンテンツソース４１６およびメディアガイドデータソース４１８のそれぞれが１つを上回ってあってもよいが、図４では、図面が複雑になり過ぎることを回避するために、それぞれ１つだけが示されている。（これらのソースのそれぞれの異なるタイプを以下で論じる）。所望に応じて、コンテンツソース４１６およびメディアガイドデータソース４１８は、１つのソースデバイスとして統合されてもよい。ソース４１６および４１８と、ユーザ機器デバイス４０２、４０４、および４０６との間の通信は、通信ネットワーク４１４を通したものとして示されているが、いくつかの実施形態では、ソース４１６および４１８は、パス４０８、４１０、および４１２に関連して上記で説明されるもの等の通信パス（図示せず）を介して、ユーザ機器デバイス４０２、４０４、および４０６と直接通信してもよい。
【００８１】
コンテンツソース４１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つまたはそれを上回るタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース４１６は、コンテンツの発信元であってもよく（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース４１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース４１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に論じられている。
【００８２】
メディアガイドデータソース４１８は、前述のメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジューリングデータおよび他のガイドデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイドデータは、複数のアナログまたはデジタルテレビチャンネル上でユーザ機器に提供されてもよい。
【００８３】
いくつかの実施形態では、メディアガイドデータソース４１８からのガイドデータは、クライアントサーバアプローチを使用して、ユーザの機器に提供されてもよい。例えば、ユーザ機器デバイスは、メディアガイドデータをサーバからプルしてもよく、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが、古くなっているとき、またはユーザ機器デバイスが、データを受信するための要求をユーザから受信するとき、ソース４１８とセッションを開始し、ガイドデータを取得してもよい。メディアガイドは、任意の好適な頻度で（例えば、継続的に、毎日、ユーザ指定期間で、システム指定期間で、ユーザ機器からの要求に応じて等）ユーザ機器に提供されてもよい。メディアガイドデータソース４１８は、ユーザ機器デバイス４０２、４０４、および４０６に、メディアガイドアプリケーション自体、またはメディアガイドアプリケーションのソフトウェア更新を提供してもよい。
【００８４】
いくつかの実施形態では、メディアガイドデータは、視聴者データを含んでもよい。例えば、視聴者データは、現在のおよび／または履歴ユーザアクティビティ情報（例えば、ユーザが典型的に見るコンテンツ、ユーザがコンテンツを見る時刻、ユーザがソーシャルネットワークと相互作用するかどうか、ユーザがソーシャルネットワークと相互作用し、情報をポストする時間、ユーザが典型的に見るコンテンツのタイプ（例えば、有料ＴＶまたは無料ＴＶ）、気分、脳の活動情報等）を含んでもよい。メディアガイドデータはまた、加入データを含んでもよい。例えば、加入データは、所与のユーザが加入するソースまたはサービスおよび／または所与のユーザが以前に加入していたが、後にアクセスを打ち切ったソースまたはサービスを識別してもよい（例えば、ユーザが有料チャネルに加入しているかどうか、ユーザが有料レベルのサービスを追加したかどうか、ユーザがインターネット速度を加速させたかどうか）。いくつかの実施形態では、視聴者データおよび／または加入データは、１年を上回る周期の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、加入データと、所与のユーザが特定のサービスまたはソースへのアクセスを打ち切るであろうかどうかの可能性を示す、値またはスコアを生成するためのモデルを併用して、視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝および広告を生成してもよい。
【００８５】
メディアガイドアプリケーションは、例えば、ユーザ機器デバイス上に実装される独立型アプリケーションであってもよい。例えば、メディアガイドアプリケーションは、記憶３０８内に記憶され、ユーザ機器デバイス３００の制御回路３０４によって実行され得る、ソフトウェアまたは一式の実行可能命令として実装されてもよい。いくつかの実施形態では、メディアガイドアプリケーションは、クライアント−サーバアプリケーションであってもよく、その場合、クライアントアプリケーションのみ、ユーザ機器デバイス上に常駐し、サーバアプリケーションは、遠隔サーバ上に常駐する。例えば、メディアガイドアプリケーションは、その部分的に、ユーザ機器デバイス３００の制御回路３０４上のクライアントアプリケーションとして、および部分的に遠隔サーバ上で、遠隔サーバの制御回路上で起動するサーバアプリケーションとして（例えば、メディアガイドデータソース４１８）、実装されてもよい。遠隔サーバの制御回路（例えば、メディアガイドデータソース４１８）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース４１８の制御回路に、ユーザ機器上での記憶のためのデータを伝送するように命令してもよい。クライアントアプリケーションは、受信用ユーザ機器の制御回路に、ガイドアプリケーション表示を生成するように命令してもよい。
【００８６】
ユーザ機器デバイス４０２、４０４、および４０６に配信されるコンテンツおよび／またはメディアガイドデータは、オーバーザトップ（ＯＴＴ）コンテンツであってもよい。ＯＴＴコンテンツ配信は、前述の任意のユーザ機器デバイスを含む、インターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。コンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、Ｇｏｏｇｌｅ  Ｉｎｃ．によって所有される商標であり、Ｎｔｆｌｉｘは、Ｎｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、前述のメディアガイドデータを提供してもよい。コンテンツおよび／またはメディアガイドデータに加え、ＯＴＴコンテンツのプロバイダは、メディアガイドアプリケーション（例えば、ウェブベースのアプリケーションまたはクラウドベースのアプリケーション）を配信することができ、またはコンテンツは、ユーザ機器デバイス上に記憶されるメディアガイドアプリケーションによって表示されることができる。
【００８７】
メディアガイドシステム４００は、いくつかのアプローチまたはネットワーク構成を例証することを意図しており、これによって、ユーザ機器デバイスならびにコンテンツおよびガイドデータのソースは、コンテンツにアクセスし、メディアガイドを提供する目的で、相互に通信してもよい。本明細書に説明される実施形態は、これらのアプローチの任意の１つまたは部分において、またはコンテンツを配信し、メディアガイドを提供するための他のアプローチを採用するシステムにおいて、適用されてもよい。以下の４つのアプローチは、図４の一般化された実施例の具体的例証を提供する。
【００８８】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブまたは他の類似デバイスを通した間接パスを介して、もしくは通信ネットワーク４１４を介して、直接相互に通信することができる。１つの家庭内の複数の個人のそれぞれが、ホームネットワーク上の異なるユーザ機器デバイスを操作してもよい。結果として、種々のメディアガイド情報または設定が、異なるユーザ機器デバイス間で伝達されることが望ましくてもよい。例えば、２００５年７月１１日出願のＥｌｌｉｓらの米国特許公開第２００５／０２５１８２７号でさらに詳細に説明されているように、ホームネットワーク内の異なるユーザ機器デバイス上で、ユーザが一貫したメディアガイドアプリケーション設定を維持することが望ましくてもよい。ホームネットワーク内の異なるタイプのユーザ機器デバイスがまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００８９】
第２のアプローチでは、ユーザは、複数のタイプのユーザ機器を有してもよく、これによって、コンテンツにアクセスし、メディアガイドを取得する。例えば、部分のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で論じられている。
【００９０】
第３のアプローチでは、家庭内外のユーザ機器デバイスのユーザは、コンテンツソース４１６と直接通信し、コンテンツにアクセスするために、そのメディアガイドアプリケーションを使用することができる。具体的には、家庭内では、ユーザテレビ機器４０２およびユーザコンピュータ機器４０４のユーザは、メディアガイドアプリケーションにアクセスし、所望のコンテンツ間をナビゲートし、それを特定してもよい。ユーザはまた、無線ユーザ通信デバイス４０６を使用して、家庭外のメディアガイドアプリケーションにアクセスし、所望のコンテンツ間をナビゲートし、それを特定してもよい。
【００９１】
第４のアプローチでは、ユーザ機器デバイスは、クラウドコンピューティング環境内で操作し、クラウドサービスにアクセスしてもよい。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、ネットワークを介して接続される、種々のタイプのユーザおよびデバイスにクラウドベースのサービス、例えば、通信ネットワーク４１４を介したインターネットを提供する、中央または分散場所に位置し得る、サーバコンピューティングデバイスの集合を含むことができる。これらのクラウドリソースは、１つまたはそれを上回るコンテンツソース４１６および１つまたはそれを上回るメディアガイドデータソース４１８を含んでもよい。加えて、または代替として、遠隔コンピューティングサイトは、ユーザテレビ機器４０２、ユーザコンピュータ機器４０４、および無線ユーザ通信デバイス４０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア様式で操作してもよい。
【００９２】
クラウドは、ユーザ機器デバイスのために、他の実施例の中でもとりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上の他者によって視聴するために配信される。これらのクラウドベースのサービスは、ユーザ機器デバイスが、コンテンツをローカルに記憶し、ローカルに記憶されたコンテンツにアクセスするのではなく、コンテンツをクラウドに記憶し、コンテンツをクラウドから受信することを可能にしてもよい。
【００９３】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器４０４から、またはコンテンツ捕捉特徴を有する、無線ユーザ通信デバイス４０６からのいずれかにおいて、クラウド上のコンテンツ記憶サービスにコンテンツをアップロードすることができる。代替として、ユーザは、最初に、コンテンツをユーザコンピュータ機器４０４等のユーザ機器デバイスに転送することができる。コンテンツを記憶するユーザ機器デバイスは、通信ネットワーク４１４上のデータ伝送サービスを使用して、コンテンツをクラウドにアップロードしてもよい。いくつかの実施形態では、ユーザ機器デバイス自体が、クラウドリソースであって、他のユーザ機器デバイスが、直接、ユーザがコンテンツを記憶したユーザ機器デバイスから、コンテンツにアクセスすることができる。
【００９４】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のために、クラウドコンピューティングに依拠する、クラウドクライアントであってもよく、またはユーザ機器デバイスは、クラウドリソースにアクセスせずに、いくつかの機能性を有してもよい。例えば、ユーザ機器デバイス上で起動するいくつかのアプリケーションは、クラウドアプリケーション、すなわち、インターネットを経由して、サービスとして配信されるアプリケーションであってもよい一方、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方、コンテンツを第２のクラウドリソースからダウンロードすることができる。または、ユーザデバイスは、より効率的ダウンロードのために、コンテンツを複数のクラウドリソースからダウンロードすることができる。いくつかの実施形態では、ユーザ機器デバイスは、図３に関連して説明される処理回路によって行われる処理操作等の処理操作のために、クラウドリソースを使用することができる。
【００９５】
図５は、表示のために（例えば、制御回路３０４を介して）、可変度の除去されるコンテンツを伴う、メディアアセットの編集されたバージョンを生成する、メディアガイドアプリケーションの実施例を図示する。ディスプレイ５００は、メディアアセットのオリジナルバージョンがレンダリングされる、ディスプレイ画面（例えば、ディスプレイ３１２）を図示する。メディアガイドアプリケーションは、表示のために、メディアアセット５０２を生成してもよい。メディアアセット５０２は、前述のように、第２のメディアアセットを備えてもよい。メディアガイドアプリケーションは、表示のために、ディスプレイ３１２上での表示のためのプログレスバー５０４を生成してもよい。メディアガイドアプリケーションは、表示のために、制御回路３０４を使用して、プログレスバー５０４を生成し、メディアアセット５０２内の再生位置のインジケータとしての役割を果たしてもよい。メディアガイドアプリケーションは、メディアアセット５０２の総再生長に基づいて、プログレスバー５０４の長さを変動させてもよい。例えば、メディアガイドアプリケーションは、表示のために、制御回路３０４を使用して、７０分の総再生時間を有するメディアアセット５０２のためのプログレスバー５０４を生成してもよい。メディアガイドアプリケーションは、表示のために、制御回路３０４を使用して、プログレスバー５０４の端部に、メディアアセット５０２と関連付けられた総再生時間を示すための総時間インジケータ５０８と、メディアアセット５０２と関連付けられた開始時間を示すための開始時間インジケータ５０６を生成してもよい。メディアガイドアプリケーションは、表示のために、制御回路３０４を使用して、現在の再生位置および時間５１０をプログレスバー５０４内に生成してもよい。メディアガイドアプリケーションは、制御回路３０４を使用して、メディアアセット５０２とユーザと関連付けられたユーザプロファイルによって示される以前に消費されたメディアアセットを比較してもよい。メディアガイドアプリケーションは、制御回路３０４を使用して、記憶３０８等のローカル記憶または通信ネットワーク４１４を介したメディアガイドデータソース４１８等の遠隔記憶上に記憶されるユーザプロファイルにアクセスしてもよい。メディアガイドアプリケーションは、制御回路３０４を使用して、前述の方法を使用して、以前に消費されたメディアアセットと重複するメディアアセット５０２の部分を識別してもよい。メディアガイドアプリケーションは、表示のために、制御回路３０４を使用して、プログレスバー５０４内に重複インジケータ５１２を生成し、ユーザに、以前に消費されたメディアアセットと重複するメディアアセット５０２内のコンテンツの部分を示してもよい。
【００９６】
ディスプレイ５２０は、メディアアセット５０２がその部分のある割合を除去するように修正される、ディスプレイ画面（例えば、ディスプレイ３１２）を図示する。メディアガイドアプリケーションは、メディアアセット５０２を編集し、制御回路３０４を使用して、一連のフレームをその部分から除去し、その部分のサイズを縮小してもよい。例えば、メディアガイドアプリケーションは、１つおきのフレームをその部分から除去し、その部分内のフレームの数の半分を備える、編集された部分を生成してもよい。メディアガイドアプリケーションは、メディアアセット５０２内のその部分を置換し、第１の編集されたメディアアセット５２２を生成してもよい。メディアガイドアプリケーションは、表示のために、制御回路３０４を使用して、第１の編集されたメディアアセット５２２に対応する第１の編集されたプログレスバー５３０を生成してもよい。メディアガイドアプリケーションは、第１の編集されたメディアアセット５２２に対応する第１の編集されたプログレスインジケータ５２６、第１の編集された総時間インジケータ５２８、および第１の編集された重複インジケータ５２４を更新してもよい。
【００９７】
ディスプレイ５４０は、メディアアセット５０２がその部分を除去するように修正される、ディスプレイ画面（例えば、ディスプレイ３１２）を図示する。メディアガイドアプリケーションは、制御回路３０４を使用して、メディアアセット５０２を編集し、その部分に対応するフレームを除去し、第２の編集されたメディアアセット５４２を作成してもよい。メディアガイドアプリケーションは、表示のために、制御回路３０４を使用して、第２の編集されたメディアアセット５４２に対応する第２の更新された編集されたプログレスバー５５０を生成してもよい。メディアガイドアプリケーションは、表示のために、第２の編集されたメディアアセット５４２に対応する更新された第２の編集されたプログレスインジケータ５４６、第２の編集された総時間インジケータ５４８、および第２の編集された重複インジケータ５４４を生成してもよい。
【００９８】
図６は、表示のために、第１の編集されたメディアアセット５２２または第２の編集されたメディアアセット５４２等の編集されたメディアアセットを生成するための例証的ステップのフロー図を描写する。プロセス６００またはその任意のステップは、図３−５に示されるデバイスのいずれか上で行われる、またはそれによって提供され得ることに留意されたい。例えば、プロセス６００は、表示のために、編集されたメディアアセットを生成するために、ユーザ機器４０２、４０４、４０６上に実装されるメディアガイドアプリケーションによって命令されるように、制御回路３０４によって実行されてもよい。加えて、プロセス６００の１つまたはそれを上回るステップは、任意の他のプロセスまたは実施形態（例えば、プロセス７００）の１つまたはそれを上回るステップの中に組み込まれる、またはそれと組み合わせられてもよい。
【００９９】
ステップ６０２では、メディアガイドアプリケーションが、ユーザが以前に第１のメディアアセットを消費したことを示すユーザプロファイルを読み出す。例えば、メディアガイドアプリケーションは、制御回路３０４を使用して、遠隔またはローカルデータ記憶場所（例えば、通信ネットワーク４１４を介したメディアガイドデータソースまたは記憶３０８）にアクセスし、ユーザと関連付けられたユーザプロファイルを読み出してもよい。メディアガイドアプリケーションは、前述の方法を使用して、プロファイル内のユーザによって以前に消費された第１のメディアアセットを選択してもよい。
【０１００】
ステップ６０４では、メディアガイドアプリケーションは、ユーザが第２のメディアアセットを消費しようとしていることを検出してもよい。例えば、メディアガイドアプリケーションは、制御回路３０４を使用して、ユーザ入力インターフェース３１０において、第２のメディアアセットを消費するユーザからの要求を検出してもよい。別の実施例では、メディアガイドアプリケーションは、第２のメディアアセットを消費するユーザからの要求を含有するネットワークパケットを検出してもよい。別の実施例では、メディアガイドアプリケーションは、ユーザ入力インターフェース３１０において音声入力を検出してもよく、処理回路３０６を使用して、音声入力を処理し、ユーザによって要求される第２のメディアアセットを判定してもよい。実施例として、メディアガイドアプリケーションは、ユーザがメディアアセット５０２を消費しようとしていることを検出してもよい。
【０１０１】
ステップ６０６では、メディアガイドアプリケーションは、第２のメディアアセットと第１のメディアアセットを比較し、第２のメディアアセットの部分が第１のメディアアセットからのコンテンツに合致するかどうかを判定してもよい。例えば、メディアガイドアプリケーションは、制御回路３０４を使用して、比較のために、第２のメディアアセットの部分を識別してもよい。メディアガイドアプリケーションは、前述のように、ユーザの母集団の閾値人数のユーザによって頻繁に早送りされる第２のメディアアセットの部分を識別することによって、第２のメディアアセットの部分を選定してもよい。メディアガイドアプリケーションは、第１のメディアアセットのフレームとその部分のフレームを比較してもよい。メディアガイドアプリケーションは、メディアガイドアプリケーションの遠隔またはローカルのデータベースにアクセスし（例えば、メディアガイドデータソース４１８または記憶３０８）、比較のために、第１のメディアアセットと関連付けられた複数のフレームを読み出してもよい。これは、第１および第２のメディアアセットを比較し、第２のメディアアセットの部分が第１のメディアアセットからのコンテンツに合致するかどうかを判定するための例示的方法にすぎない。メディアガイドアプリケーションは、比較のための前述の方法のいずれかを行うために、制御回路３０４を使用してもよい。比較の結果、メディアガイドアプリケーションは、表示のために、第１のメディアアセットと重複するメディアアセットの部分に対応する重複インジケータ５１２を生成してもよい。
【０１０２】
ステップ６０８では、メディアガイドアプリケーションは、第２のメディアアセットの部分が第１のメディアアセットからのコンテンツに合致することの判定に応答して、第２のメディアアセットを編集し、その部分を除去してもよい。例えば、メディアガイドアプリケーションは、制御回路３０４を使用して、その部分に対応する全フレームを第２のメディアアセットから自動的に除去し、編集された第２のメディアアセットを作成してもよい。実施例として、メディアガイドアプリケーションは、その部分を除去する結果、第２の編集されたメディアアセット５４２を生成してもよい。メディアガイドアプリケーションは、表示のために、その部分が除去されてから、無視可能な幅を伴う第２の重複インジケータ５４４を生成してもよい。別の実施例では、メディアガイドアプリケーションは、ユーザ入力インターフェース３１０において、ユーザがその部分を通して早送りを所望することを示す、ユーザ入力を受信してもよい。メディアガイドアプリケーションは、制御回路３０４を使用して、編集された第２のメディアアセットを生成してもよく、その部分のフレームのある割合が、第２のメディアアセットから除去され、編集された第２のメディアアセットを作成する。例えば、メディアガイドアプリケーションは、メディアアセット５０２を編集し、第１の編集されたメディアアセット５２２を作成してもよい。メディアガイドアプリケーションは、表示のために、重複インジケータ５１２より短い第１の編集された重複インジケータ５２４を生成し、第１の編集されたメディアアセットがメディアアセット５０２と殆ど重複を含有しないことを示してもよい。
【０１０３】
ステップ６１０では、メディアガイドアプリケーションは、表示のために、編集された第２のメディアアセットを生成してもよい。例えば、メディアガイドアプリケーションは、ディスプレイ３１２上での表示のために、制御回路３０４を使用して、第１の編集されたメディアアセット５２２または第２の編集されたメディアアセット５４２を生成してもよい。
【０１０４】
図６のステップまたは説明は、本開示の任意の他の実施形態とともに使用され得ることが考慮される。加えて、図６に関して説明されるステップおよび説明は、本開示の目的を促進するように、代替的な順序で、または並行して行われてもよい。例えば、これらのステップのそれぞれは、システムまたは方法の遅延を減少または速度を増加させるように、任意の順序で、または並行して、もしくは実質的に同時に行われてもよい。さらに、図６のステップのうちの１つまたはそれを上回るものを行うために、図３−５に関して論じられるデバイスまたは機器のいずれかを使用できることに留意されたい。
【０１０５】
図７は、メディアアセット５０２を編集するための例証的ステップのフロー図を描写する。プロセス７００またはその任意のステップは、図３−５に示されるデバイスのいずれか上で行われる、またはそれによって提供され得ることに留意されたい。例えば、プロセス７００は、メディアアセット５０２を編集するために、ユーザ機器４０２、４０４、４０６上に実装されるメディアガイドアプリケーションによって命令されるように、制御回路３０４によって実行されてもよい。加えて、プロセス７００の１つまたはそれを上回るステップは、任意の他のプロセスまたは実施形態（例えば、プロセス６００）の１つまたはそれを上回るステップの中に組み込まれる、またはそれと組み合わせられてもよい。
【０１０６】
ステップ７０２では、メディアガイドアプリケーションは、ユーザが以前に第１のメディアアセットを消費したことを示すユーザプロファイルを読み出してもよい。例えば、メディアガイドアプリケーションは、制御回路３０４を使用して、ユーザと関連付けられたプロファイルを含有するデータベースにアクセスしてもよい。メディアガイドアプリケーションは、以前に消費されたメディアアセットの一覧にアクセスしてもよく、第１のメディアアセットをメディアアセットの一覧から選択してもよい。
【０１０７】
ステップ７０４では、メディアガイドアプリケーションは、ユーザが第２のメディアアセットを消費しようとしていることを検出してもよい。例えば、メディアガイドアプリケーションは、通信ネットワーク４１４を経由して伝送されるネットワークデータパケットを監視してもよい。監視の結果、メディアガイドアプリケーションは、制御回路３０４を使用して、ユーザが第２のメディアアセット（例えば、メディアアセット５０２）を消費しようとしていることを示すデータを含有するパケットを検出してもよい。例えば、メディアガイドアプリケーションは、メディアコンテンツソース４１６からストリーミングされたメディアアセットに対応するパケット内のフレームデータを検出してもよい。
【０１０８】
ステップ７０６では、メディアガイドアプリケーションは、第２のメディアアセットに対応する部分を選択してもよい。例えば、メディアガイドアプリケーションは、制御回路３０４を使用して、第２のメディアアセットに対応するフレームをその部分として選択してもよい。別の実施例では、メディアガイドアプリケーションは、制御回路３０４を使用して、第２のメディアアセット（例えば、メディアアセット５０２）内の複数のフレームを選択してもよい。
【０１０９】
ステップ７０８では、メディアガイドアプリケーションは、その部分に対応するフレームを読み出してもよい。例えば、メディアガイドアプリケーションは、制御回路３０４を使用して、通信ネットワーク４１４を介してフレームをメディアコンテンツソース４１６から要求することによって、第２のメディアアセット（例えば、メディアアセット５０２）に対応するフレームを読み出してもよい。
【０１１０】
ステップ７１０では、メディアガイドアプリケーションは、第１のメディアアセットに対応するフレームを第１のメディアアセット内の複数のフレームを一覧にしたデータベースから読み出してもよい。例えば、メディアガイドアプリケーションは、制御回路３０４を使用して、第１のメディアアセットと関連付けられた複数のフレームを有するデータベースにアクセスすることによって（例えば、通信ネットワーク４１４を介してメディアコンテンツソース４１６にアクセスすることによって）、第１のメディアアセットに対応するフレームを読み出してもよい。
【０１１１】
ステップ７１２では、メディアガイドアプリケーションは、その部分に対応するフレームと第１のメディアアセットに対応するフレームを比較し、その部分が第１のメディアアセットからのコンテンツに合致するかどうかを判定してもよい。例えば、メディアガイドアプリケーションは、制御回路３０４を使用して、画像処理アルゴリズムを採用し、その部分に対応するフレームと第１のメディアアセットに対応するフレームを比較してもよい。メディアガイドアプリケーションは、画像処理アルゴリズムを使用した比較が、フレームが少なくとも閾値パーセンテージだけ類似することを判定する場合、フレームが合致することを判定してもよい。
【０１１２】
ステップ７１４では、メディアガイドアプリケーションは、その部分に対応するフレームが第１のメディアアセットに対応するフレームに合致するかどうかを判定する。前述の実施例におけるように、メディアガイドアプリケーションは、制御回路３０４上で起動する画像処理アルゴリズムを使用して、フレームが少なくとも閾値パーセンテージだけ合致するかどうかを判定してもよい。メディアガイドアプリケーションが、制御回路３０４を使用して、フレームが少なくとも閾値パーセンテージだけ合致すると判定する場合、メディアガイドアプリケーションは、ステップ７１６に進む。そうでなければ、メディアガイドアプリケーションは、ステップ７１８に進む。
【０１１３】
ステップ７１６では、メディアガイドアプリケーションは、第２のメディアアセットを編集して、その部分に対応するフレームを除去する。例えば、メディアガイドアプリケーションは、編集された第２のメディアアセット（例えば、第１の編集されたメディアアセット５２２または第２の編集されたメディアアセット５４２）を、記憶３０８内にローカルに、または通信ネットワーク４１４を介して、メディアコンテンツソース４１６もしくはメディアガイドデータソース４１８内に遠隔に、一時的に記憶する。メディアガイドデータソースは、制御回路３０４を使用して、第２のメディアアセットの再生の間、フレームがもはや含まれないように、その部分に対応するフレームを除去することによって、編集された第２のメディアアセット（例えば、第１の編集されたメディアアセット５２２または第２の編集されたメディアアセット５４２）を更新してもよい。
【０１１４】
ステップ７１８では、メディアガイドアプリケーションは、第２のメディアアセットに対応する次の部分を選択してもよい。例えば、メディアガイドアプリケーションは、制御回路３０４を使用して、再生の間、次の部分の前にその部分が先行するように、第２のメディアアセットから次の部分を選択してもよい。実施例として、メディアガイドアプリケーションは、制御回路３０４を使用して、第２のメディアアセットに対応する複数のフレームをその部分として選択してもよい。別の実施例では、メディアガイドアプリケーションは、単一フレームをその部分として選択してもよい。
【０１１５】
図７のステップまたは説明は、本開示の任意の他の実施形態とともに使用され得ることが考慮される。加えて、図７に関して説明されるステップおよび説明は、本開示の目的を促進するように、代替的な順序で、または並行して行われてもよい。例えば、これらのステップのそれぞれは、システムまたは方法の遅延を減少または速度を増加させるように、任意の順序で、または並行して、もしくは実質的に同時に行われてもよい。さらに、図７のステップのうちの１つまたはそれを上回るものを行うために、図３−５に関して論じられるデバイスまたは機器のいずれかを使用できることに留意されたい。
【０１１６】
本開示の前述の実施形態は、限定ではなく、例証目的のために提示され、本開示は、以下の請求項によってのみ限定される。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上記で説明されるシステムおよび／または方法は、他のシステムおよび／または方法に適用され、またはそれらに従って使用され得ることにも留意されたい。
【図１】
2018526837.tif 000003
【図２】
2018526837.tif 000004
【図３】
2018526837.tif 000005
【図４】
2018526837.tif 000006
【図５】
2018526837.tif 000007
【図６】
2018526837.tif 000008
【図７】
2018526837.tif 000009
【国際調査報告】
2018526837.tif 000010
2018526837.tif 000011